(57)【特許請求の範囲】
【請求項１】
ワイヤレス通信のための方法であって、
受信機への送信のためのトランスポートブロックグループのトランスポートブロックグループサイズを識別することと、
前記送信の間に前記受信機に再送信されるべき１つまたは複数の前のトランスポートブロックの１つまたは複数のコードブロックの再送信サイズを決定することと、
前記トランスポートブロックグループサイズと前記再送信サイズとの間の差に少なくとも部分的に基づいて新しいトランスポートブロックのサイズを決定することと、
前記新しいトランスポートブロックのサイズと、前記トランスポートブロックグループサイズと前記再送信サイズとに少なくとも部分的に基づいて前記送信の間に前記受信機に前記新しいトランスポートブロックを送信すべきかどうかを決定することと、
前記受信機に前記新しいトランスポートブロックを送信することと、
前記送信の間に再送信されるコードブロックを備える、前記新しいトランスポートブロックより前の連続するトランスポートブロックの数のインジケーションを送信することと
を備える、方法。
【請求項２】
２つ以上の異なるトランスポートブロックからのコードブロックは、前記送信の間に前記トランスポートブロックグループ中で送信される、
請求項１に記載の方法。
【請求項３】
前記トランスポートブロックグループサイズが前記再送信サイズを上回るとき、前記受信機に前記新しいトランスポートブロックを送信することを決定することをさらに備える、
請求項１に記載の方法。
【請求項４】
前記トランスポートブロックグループサイズは、前記送信のために割り当てられたワイヤレスリソース中のリソースブロックの数、前記送信のために割り当てられた前記ワイヤレスリソース中の送信時間間隔の数、前記送信のために使用される空間多重化レイヤの数、または前記送信のために使用される変調およびコーディングスキームのうちの１つまたは複数に少なくとも部分的に基づいて決定される、
請求項１に記載の方法。
【請求項５】
前記再送信サイズを前記決定することは、
前記受信機に送信された前記１つまたは複数の前のトランスポートブロックからの１つまたは複数のコードブロックが、前記受信機に再送信されるべきであると決定することと、
再送信されるべきである前記１つまたは複数のコードブロックのコードブロックサイズをアグリゲートすることと
を備える、請求項１に記載の方法。
【請求項６】
前記１つまたは複数の前のトランスポートブロックからの前記１つまたは複数のコードブロックは、前記受信機に再送信されるべきであると前記決定することが、否定応答（ＮＡＣＫ）が前記１つまたは複数のコードブロックに関連付けられると決定することを備える、
請求項５に記載の方法。
【請求項７】
前記新しいトランスポートブロックが前記送信の間に送信されるべきであるのかどうかのインジケーションを送信することと、
前記送信の間に再送信されるコードブロックを備える、前記新しいトランスポートブロックより前の連続するトランスポートブロックの数を識別することと、
前記送信の間に再送信されるコードブロックを備える、前記新しいトランスポートブロックより前の前記連続するトランスポートブロックの数より前のトランスポートブロックに関連する再送信されるべきコードブロックを破棄することと
をさらに備える、請求項１に記載の方法。
【請求項８】
前記再送信サイズは、再送信されるべきコードブロックのコードブロックサイズの和に少なくとも部分的に基づいて決定される、
請求項１に記載の方法。
【請求項９】
前記トランスポートブロックグループサイズと前記再送信サイズとの間の差が、前記送信中に前記受信機に再送信されるべき前記１つまたは複数の前のトランスポートブロックの前記コードブロックのみを含むことをサポートすると決定することをさらに備える、
請求項１に記載の方法。
【請求項１０】
前記トランスポートブロックグループサイズと前記再送信サイズとの間の差が、前記送信中に前記新しいトランスポートブロックを含むことをサポートすると決定することをさらに備える、
請求項１に記載の方法。
【請求項１１】
前記受信機への前記送信は、２つ以上の空間多重化レイヤ上での空間多重化送信であり、各空間多重化レイヤの変調およびコーディングスキーム（ＭＣＳ）は、前記空間多重化レイヤの他方のための前記ＭＣＳとは無関係に決定される、
請求項１に記載の方法。
【請求項１２】
前記トランスポートブロックグループサイズを識別することは、各空間多重化レイヤのための前記トランスポートブロックグループサイズを識別することを備え、
前記再送信サイズを決定することは、各空間多重化レイヤについて前記送信の間に前記受信機に再送信されるべき１つまたは複数の前のトランスポートブロックの任意のコードブロックの前記再送信サイズを決定することを備える、
請求項１１に記載の方法。
【請求項１３】
ワイヤレス通信のための方法であって、
送信のためのトランスポートブロックグループサイズを識別することと、
２つ以上のトランスポートブロックからのコードブロックが前記送信中に含まれるべきかどうかのインジケーションを受信することと、
前記送信の間に再送信されるべき１つまたは複数の前のトランスポートブロックのコードブロックの再送信サイズを決定することと、
前記トランスポートブロックグループサイズと前記再送信サイズとの間の差に少なくとも部分的に基づいて新しいトランスポートブロックのサイズを決定することと、
前記送信の間に再送信されるコードブロックを備える、前記新しいトランスポートブロックより前の連続するトランスポートブロックの数のインジケーションを受信することと、
前記新しいトランスポートブロックのサイズに従って前記送信を受信することと
を備える、方法。
【請求項１４】
前記送信の間に再送信されるコードブロックを備える連続する前記新しいトランスポートブロックより前のトランスポートブロックの数を識別することと、
前記連続する新しいトランスポートブロックより前のトランスポートブロックの数より前のトランスポートブロックに関連するコードブロックに関係する情報を破棄することと
をさらに備える、請求項１３に記載の方法。
【請求項１５】
前記新しいトランスポートブロックが前記送信の間に送信されるべきであるというインジケーションを受信することをさらに備える、
請求項１３に記載の方法。
【請求項１６】
前記インジケーションは、１ビットのインジケータを備え、前記新しいトランスポートブロックが、前記トランスポートブロックグループサイズよりも小さい再送信サイズを有する２つ以上の空間多重化レイヤの各々上で送信される、
請求項１５に記載の方法。
【請求項１７】
ワイヤレス通信のための装置であって、
プロセッサと、
前記プロセッサと電子通信しているメモリと、
前記メモリに記憶された命令と
を備え、前記命令は、プロセッサによって実行されたとき、前記装置に、
受信機への送信のためのトランスポートブロックグループのトランスポートブロックグループサイズを識別することと、
前記送信の間に前記受信機に再送信されるべき１つまたは複数の前のトランスポートブロックの１つまたは複数のコードブロックの再送信サイズを決定することと、
前記トランスポートブロックグループサイズと前記再送信サイズとの間の差に少なくとも部分的に基づいて新しいトランスポートブロックのサイズを決定することと、
前記新しいトランスポートブロックのサイズと、前記トランスポートブロックグループサイズと前記再送信サイズとに少なくとも部分的に基づいて前記送信の間に前記受信機に前記新しいトランスポートブロックを送信すべきかどうかを決定することと、
前記受信機に前記新しいトランスポートブロックを送信することと、
前記送信の間に再送信されるコードブロックを備える、前記新しいトランスポートブロックより前の連続するトランスポートブロックの数のインジケーションを送信することと
を行わせる、装置。
【発明の詳細な説明】
【相互参照】
【０００１】
[0001]本特許出願は、各々が本出願の譲受人に譲渡された、２０１５年７月２４日に出願された「Ｃｏｄｅ  Ｂｌｏｃｋ  Ｓｅｇｍｅｎｔａｔｉｏｎ  ａｎｄ  Ｒａｔｅ  Ｍａｔｃｈｉｎｇ  ｆｏｒ  Ｍｕｌｔｉｐｌｅ  Ｔｒａｎｓｐｏｒｔ  Ｂｌｏｃｋ  Ｔｒａｎｓｍｉｓｓｉｏｎｓ」と題する、Ｓｕｎらによる米国仮特許出願第６２／１９６，７５７号、および２０１６年６月１４日に出願された「Ｃｏｄｅ  Ｂｌｏｃｋ  Ｓｅｇｍｅｎｔａｔｉｏｎ  ａｎｄ  Ｒａｔｅ  Ｍａｔｃｈｉｎｇ  ｆｏｒ  Ｍｕｌｔｉｐｌｅ  Ｔｒａｎｓｐｏｒｔ  Ｂｌｏｃｋ  Ｔｒａｎｓｍｉｓｓｉｏｎｓ」と題する、Ｓｕｎらによる米国特許出願第１５／１８２，２１４号の優先権を主張する。
【背景技術】
【０００２】
[0002]本開示は、たとえば、ワイヤレス通信システムに関し、より詳細には、複数のトランスポートブロックからのコードブロックを含んでいる送信のためのコードブロック分割およびレートマッチングに関する。
【０００３】
[0003]ワイヤレス通信システムは、音声、ビデオ、パケットデータ、メッセージング、ブロードキャストなどのような様々なタイプの通信コンテンツを提供するために広く展開されている。これらのシステムは、利用可能なシステムリソース（たとえば、時間、周波数、および電力）を共有することによって複数のユーザとの通信をサポートすることが可能であり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム（たとえば、ロングタームエボリューション（ＬＴＥ（登録商標））システム）がある。
【０００４】
[0004]ワイヤレス多元接続通信システムは、場合によってはユーザ機器（ＵＥ）として知られていることがある、複数の通信デバイスのための通信を各々が同時にサポートする、いくつかの基地局を含み得る。基地局は、（たとえば、基地局からＵＥへの送信のための）ダウンリンクチャネルと、（たとえば、ＵＥから基地局への送信のための）アップリンクチャネルとの上でＵＥと通信し得る。いくつかの例では、ＵＥと基地局とは、ダウンリンク通信またはアップリンク通信またはその両方のために共有無線周波数スペクトル帯域からのワイヤレスリソースを使用し得、ワイヤレスリソースが送信のために利用可能であることを検証するためにリッスンビフォアトーク（ＬＢＴ）プロシージャを実行し得る。
【０００５】
[0005]いくつかの展開では、ＵＥと基地局とは、送信されたデータを正常に受信し、復号するために、トランスポートブロック（ＴＢ）中でのデータの再送信に依拠し得る。たとえば、ＵＥは、肯定応答（ＡＣＫ）または否定応答（ＮＡＣＫ）などのフィードバックを生成し得、これは、ＴＢが正常に受信され、復号されたのかどうかを示すために送信基地局に送信され得、これは、（ＮＡＣＫフィードバックの場合は）ＴＢを再送信するように基地局に促し得る。場合によっては、ＴＢは、ＵＥまたは基地局によって送信されるいくつかのコードブロック（ＣＢ）を含み得る。ＴＢ内のＣＢサイズは、たとえば、トランスポートブロックのサイズ、コーディングレート、変調次数、またはインターリーバ特性などのいくつかのファクタによって決定され得る。いくつかの展開では、フィードバックは、ＴＢベースではなくＣＢベースで与えられ得る。そのような展開では、ワイヤレスリソースの効率的な使用を実現するために、異なるＴＢからのＣＢの再送信のための効率的な技法が望ましいことがある。
【発明の概要】
【０００６】
[0006]本開示は、たとえば、ＣＢレベルのフィードバックを使用し得るワイヤレス展開におけるコードブロック（ＣＢ）分割およびレートマッチングのための技法に関する。本開示の様々な態様は、トランスポートブロックグループ（ＴＢＧ）が複数のトランスポートブロック（ＴＢ）からの１つまたは複数のＣＢを含み得ることを提供する。そのようなＴＢＧは、ＴＢＧ送信内での異なるＴＢからの１つまたは複数のＣＢの再送信をサポートし得る。いくつかの例では、ＴＢＧサイズが決定され得、再送信されるべき任意のＣＢに関連する再送信サイズが決定され得る。ＴＢＧサイズと再送信サイズとに少なくとも部分的に基づいて、新しいＴＢがＴＢＧ中に含まれ得るのかどうかが決定され得る。
【０００７】
[0007]新しいＴＢがＴＢＧ中に含まれ得る例では、新しいＴＢのサイズは、ＴＢＧサイズと再送信サイズとに少なくとも部分的に基づいて決定され得る。新しいＴＢは、ＣＢに分割され得、それらは、１つまたは複数の前のＴＢからのＣＢとは異なるＣＢサイズを有し得、ＴＢＧ中で送信されるべき他のＣＢとは異なるＣＢサイズを有し得る。いくつかの例では、新しいＴＢがＴＢＧ中に含まれるのかどうかのインジケーションが与えられ得る。いくつかの例では、インジケーションはまた、ＣＢが再送信され得る数または前のＴＢのインジケーションを含み得る。受信機は、再送信サイズ、新しいＴＢが示される場合はＴＢＧ中の新しいＴＢのサイズ、または新しいＴＢが示されないためＴＢＧ中の再送信されたＣＢについてのレートマッチング情報を決定するためにそのようなインジケーションを使用し得る。
【０００８】
[0008]いくつかの例では、異なるＴＢからのＣＢを含むＴＢＧを送信するためにワイヤレス送信リソースのリソース許可が識別され得る。ＴＢＧサイズは、リソース許可に基づいて決定され得、リソース許可のワイヤレス送信リソースの利用可能性を確認するために、リッスンビフォアトーク（ＬＢＴ）プロシージャが実行され得る。ワイヤレス送信リソースの一部がＬＢＴプロシージャに基づいて利用可能である場合、関連する送信に１つまたは複数の修正が行われ得る。そのような修正は、たとえば、ＴＢＧサイズの修正、ＴＢＧ送信のために使用される符号化レートの修正、ＴＢＧ送信のためのコードブロックの量の修正、またはそれらの組合せを含み得る。
【０００９】
[0009]ワイヤレス通信の方法について説明する。本方法は、受信機への送信のためのトランスポートブロックグループサイズを識別することと、送信の間に受信機に再送信されるべき１つまたは複数の前のトランスポートブロックの任意のコードブロックの再送信サイズを決定することと、トランスポートブロックグループサイズと再送信サイズとに少なくとも部分的に基づいて送信の間に受信機に新しいトランスポートブロックを送信すべきかどうかを決定することとを含み得る。
【００１０】
[0010]ワイヤレス通信のための装置について説明する。本装置は、受信機への送信のためのトランスポートブロックグループサイズを識別するための手段と、送信の間に受信機に再送信されるべき１つまたは複数の前のトランスポートブロックの任意のコードブロックの再送信サイズを決定するための手段と、トランスポートブロックグループサイズと再送信サイズとに少なくとも部分的に基づいて送信の間に受信機に新しいトランスポートブロックを送信すべきかどうかを決定するための手段とを含み得る。
【００１１】
[0011]ワイヤレス通信のためのさらなる装置について説明する。本装置は、プロセッサと、プロセッサと電子通信しているメモリと、メモリに記憶され、プロセッサによって実行されたとき、本装置に、受信機への送信のためのトランスポートブロックグループサイズを識別することと、送信の間に受信機に再送信されるべき１つまたは複数の前のトランスポートブロックの任意のコードブロックの再送信サイズを決定することと、トランスポートブロックグループサイズと再送信サイズとに少なくとも部分的に基づいて送信の間に受信機に新しいトランスポートブロックを送信すべきかどうかを決定することとを行わせるように動作可能な命令とを含み得る。
【００１２】
[0012]ワイヤレス通信のためのコードを記憶する非一時的コンピュータ可読媒体について説明する。コードは、受信機への送信のためのトランスポートブロックグループサイズを識別することと、送信の間に受信機に再送信されるべき１つまたは複数の前のトランスポートブロックの任意のコードブロックの再送信サイズを決定することと、トランスポートブロックグループサイズと再送信サイズとに少なくとも部分的に基づいて送信の間に受信機に新しいトランスポートブロックを送信すべきかどうかを決定することとを行うように実行可能な命令を含み得る。
【００１３】
[0013]本明細書で説明する方法、装置、または非一時的コンピュータ可読媒体のいくつかの例としては、送信の間にトランスポートブロックグループ中で２つ以上の異なるトランスポートブロックからのコードブロックを送信することを行うためのプロセス、特徴、手段、または命令をさらに含み得る。追加または代替として、いくつかの例としては、トランスポートブロックグループサイズが再送信サイズを上回るとき、受信機に新しいトランスポートブロックを送信することを決定することを行うためのプロセス、特徴、手段、または命令があり得る。
【００１４】
[0014]本明細書で説明する方法、装置、または非一時的コンピュータ可読媒体のいくつかの例としては、トランスポートブロックグループサイズと再送信サイズとの間の差に少なくとも部分的に基づいて新しいトランスポートブロックのサイズを決定することを行うためのプロセス、特徴、手段、または命令をさらに含み得る。追加または代替として、いくつかの例では、再送信サイズを決定することは、受信機に送信された１つまたは複数の前のトランスポートブロックからの１つまたは複数のコードブロックが、受信機に再送信されるべきであると決定することと、再送信されるべきである１つまたは複数のコードブロックのコードブロックサイズをアグリゲートすることとを含み得る。
【００１５】
[0015]本明細書で説明する方法、装置、または非一時的コンピュータ可読媒体のいくつかの例では、１つまたは複数の前のトランスポートブロックからの１つまたは複数のコードブロックが、受信機に再送信されるべきであると決定することは、否定応答（ＮＡＣＫ）が１つまたは複数のコードブロックに関連付けられると決定することを含み得る。追加または代替として、いくつかの例では、トランスポートブロックグループサイズは、送信のために割り当てられたワイヤレスリソース中のリソースブロックの数、送信のために割り当てられたワイヤレスリソース中の送信時間間隔の数、送信のために使用される空間多重化レイヤの数、または送信のために使用される変調およびコーディングスキームのうちの１つまたは複数に少なくとも部分的に基づいて決定される。
【００１６】
[0016]本明細書で説明する方法、装置、または非一時的コンピュータ可読媒体のいくつかの例としては、新しいトランスポートブロックが送信の間に送信されるべきであるのかどうかのインジケーションを送信することを行うためのプロセス、特徴、手段、または命令をさらに含み得る。追加または代替として、いくつかの例としては、送信の間に再送信されるコードブロックを有し得る連続する前のトランスポートブロックの数を識別することと、送信の間に再送信されるコードブロックを有し得る連続する前のトランスポートブロックの数より前のトランスポートブロックに関連する再送信されるべきコードブロックを破棄することとを行うためのプロセス、特徴、手段、または命令があり得る。
【００１７】
[0017]本明細書で説明する方法、装置、または非一時的コンピュータ可読媒体のいくつかの例では、再送信サイズは、再送信されるべきコードブロックのコードブロックサイズの和に少なくとも部分的に基づいて決定される。追加または代替として、いくつかの例としては、送信の間に再送信されるコードブロックを有し得る連続する前のトランスポートブロックの数のインジケーションを送信することを行うためのプロセス、特徴、手段、または命令があり得る。
【００１８】
[0018]本明細書で説明する方法、装置、または非一時的コンピュータ可読媒体のいくつかの例としては、トランスポートブロックグループサイズと再送信サイズとの間の差が、送信の間に受信機に再送信されるべき１つまたは複数の前のトランスポートブロックのコードブロックのみを含むことをサポートすると決定することを行うためのプロセス、特徴、手段、または命令をさらに含み得る。追加または代替として、いくつかの例としては、送信中に含まれるべきコード化ビットの数を決定することと、送信中に受信機に再送信されるべき１つまたは複数の前のトランスポートブロックのコードブロックに、コード化ビットの数を比例的に割り当てることとを行うためのプロセス、特徴、手段、または命令があり得る。
【００１９】
[0019]本明細書で説明する方法、装置、または非一時的コンピュータ可読媒体のいくつかの例では、前のトランスポートブロックは、２つ以上の前のトランスポートブロックを含み、前のトランスポートブロックのための再送信されるべきコードブロックは、異なるコードブロックサイズを有する。追加または代替として、いくつかの例としては、トランスポートブロックグループサイズと再送信サイズとの間の差が、送信中に新しいトランスポートブロックを含むことをサポートすると決定することを行うためのプロセス、特徴、手段、または命令があり得る。
【００２０】
[0020]本明細書で説明する方法、装置、または非一時的コンピュータ可読媒体のいくつかの例では、新しいトランスポートブロックの新しいトランスポートブロックサイズは、トランスポートブロックグループサイズと再送信サイズとの間の差に少なくとも部分的に基づいて決定される。追加または代替として、いくつかの例としては、新しいトランスポートブロックサイズを新しいトランスポートブロックのための複数のコードブロックに分割することを行うためのプロセス、特徴、手段、または命令があり得る。
【００２１】
[0021]本明細書で説明する方法、装置、または非一時的コンピュータ可読媒体のいくつかの例では、新しいトランスポートブロックのための複数のコードブロックのサイズは、トランスポートブロックグループサイズと再送信サイズとの間の差の実質的にすべてを占有する新しいトランスポートブロックに均一なコードブロックサイズを与えるように選択される。追加または代替として、いくつかの例では、トランスポートブロックグループサイズと再送信サイズとの間の差が、送信中に新しいトランスポートブロックを含むことをサポートすると決定することは、トランスポートブロックグループサイズと再送信サイズとの間の差がしきい値を上回ると決定することを含み得る。
【００２２】
[0022]本明細書で説明する方法、装置、または非一時的コンピュータ可読媒体のいくつかの例では、しきい値は、再送信されるべきコードブロックのためのコードブロックサイズ、トランスポートブロックグループサイズと再送信サイズとの比率、または送信のための変調およびコーディングスキームのうちの１つまたは複数に少なくとも部分的に基づいて決定される。追加または代替として、いくつかの例としては、送信中に含まれるべきコード化ビットの数を決定することと、受信機に再送信されるべき１つまたは複数のコードブロックと受信機に送信されるべき新しいトランスポートブロックの１つまたは複数の新しいコードブロックとのコードブロックサイズを決定することと、それぞれのコードブロックサイズに比例して各コードブロックにコード化ビットの数の部分を比例的に割り当てることとを行うためのプロセス、特徴、手段、または命令があり得る。
【００２３】
[0023]本明細書で説明する方法、装置、または非一時的コンピュータ可読媒体のいくつかの例では、コード化ビットの数は、複数のリソース要素中で送信され、各リソース要素のコード化ビットは、同じコードブロックに関連付けられる。追加または代替として、いくつかの例では、受信機への送信は、２つ以上の空間多重化レイヤ上での空間多重化送信であり、各空間多重化レイヤの変調およびコーディングスキーム（ＭＣＳ）は、空間多重化レイヤの他方のための変調およびコーディングスキーム（ＭＣＳ）とは無関係に決定される。
【００２４】
[0024]本明細書で説明する方法、装置、または非一時的コンピュータ可読媒体のいくつかの例としては、各空間多重化レイヤのためのトランスポートブロックグループサイズを識別することと、各空間多重化レイヤについて送信の間に受信機に再送信されるべき１つまたは複数の前のトランスポートブロックの任意のコードブロックの再送信サイズを決定することとを行うためのプロセス、特徴、手段、または命令をさらに含み得る。追加または代替として、いくつかの例としては、新しいトランスポートブロックが送信の間に送信されるべきであるというインジケーションを送信することを行うためのプロセス、特徴、手段、または命令があり得る。いくつかの例では、インジケーションは、１ビットのインジケータを含み得、新しいトランスポートブロックは、トランスポートブロックグループサイズよりも小さい再送信サイズを有する各空間多重化レイヤ上で送信される。追加または代替として、いくつかの例では、インジケーションは、新しいトランスポートブロックが各空間多重化レイヤ上で送信されるのかどうかのインジケーションを与えるマルチビットインジケータである。いくつかの例では、インジケーションは、１ビットのインジケータを含み得、新しいトランスポートブロックは、トランスポートブロックグループサイズが少なくともしきい値だけそれぞれの空間多重化レイヤのための再送信サイズを上回る各空間多重化レイヤ上で送信される。追加または代替として、いくつかの例は、オリジナルコードブロック送信と同じ空間多重化レイヤ中のブロック再送信残余をコーディングすることを行うためのプロセス、特徴、手段、または命令を含み得る。
【００２５】
[0025]ワイヤレス通信の方法について、本開示の別の態様で説明する。本方法は、送信のためのトランスポートブロックグループサイズを識別することと、２つ以上のトランスポートブロックからのコードブロックが送信中に含まれるべきかどうかのインジケーションを受信することと、トランスポートブロックグループサイズとインジケーションとに少なくとも部分的に基づいて２つ以上のトランスポートブロックからのコードブロックのためのコードブロックサイズを決定することとを含み得る。
【００２６】
[0026]ワイヤレス通信のための装置について、本開示の別の態様で説明する。本装置は、送信のためのトランスポートブロックグループサイズを識別するための手段と、２つ以上のトランスポートブロックからのコードブロックが送信中に含まれるべきかどうかのインジケーションを受信するための手段と、トランスポートブロックグループサイズとインジケーションとに少なくとも部分的に基づいて２つ以上のトランスポートブロックからのコードブロックのためのコードブロックサイズを決定するための手段とを含み得る。
【００２７】
[0027]ワイヤレス通信のためのさらなる装置について、本開示の別の態様で説明する。本装置は、プロセッサと、プロセッサと電子通信しているメモリと、メモリに記憶され、プロセッサによって実行されたとき、本装置に、送信のためのトランスポートブロックグループサイズを識別することと、２つ以上のトランスポートブロックからのコードブロックが送信中に含まれるべきかどうかのインジケーションを受信することと、トランスポートブロックグループサイズとインジケーションとに少なくとも部分的に基づいて２つ以上のトランスポートブロックからのコードブロックのためのコードブロックサイズを決定することとを行わせるように動作可能な命令とを含み得る。
【００２８】
[0028]ワイヤレス通信のためのコードを記憶する非一時的コンピュータ可読媒体について、本開示の別の態様で説明する。コードは、送信のためのトランスポートブロックグループサイズを識別することと、２つ以上のトランスポートブロックからのコードブロックが送信中に含まれるべきかどうかのインジケーションを受信することと、トランスポートブロックグループサイズとインジケーションとに少なくとも部分的に基づいて２つ以上のトランスポートブロックからのコードブロックのためのコードブロックサイズを決定することとを行うように実行可能な命令を含み得る。
【００２９】
[0029]本明細書で説明する方法、装置、または非一時的コンピュータ可読媒体のいくつかの例としては、送信の間に再送信されるコードブロックを有し得る連続する前のトランスポートブロックの数を識別することと、送信の間に再送信されるコードブロックを有し得る連続する前のトランスポートブロックの数より前のトランスポートブロックに関連するコードブロックに関係する情報を破棄することとを行うためのプロセス、特徴、手段、または命令をさらに含み得る。追加または代替として、いくつかの例では、送信の間に再送信されるコードブロックを有し得る連続する前のトランスポートブロックの数を識別することは、送信機から、送信の間に再送信されるコードブロックを有し得る連続する前のトランスポートブロックの数のインジケーションを受信することを含み得る。
【００３０】
[0030]本明細書で説明する方法、装置、または非一時的コンピュータ可読媒体のいくつかの例としては、送信の間に再送信されるべき１つまたは複数の前のトランスポートブロックのコードブロックの再送信サイズを決定することを行うためのプロセス、特徴、手段、または命令をさらに含み得る。追加または代替として、いくつかの例としては、トランスポートブロックグループサイズと再送信サイズとの間の差に少なくとも部分的に基づいて新しいトランスポートブロックのサイズを決定することを行うためのプロセス、特徴、手段、または命令があり得る。
【００３１】
[0031]本明細書で説明する方法、装置、または非一時的コンピュータ可読媒体のいくつかの例では、送信は、２つ以上の空間多重化レイヤ上での空間多重化送信であり、トランスポートブロックグループサイズを識別することは、各空間多重化レイヤのためのトランスポートブロックグループサイズを識別することを含み得る。追加または代替として、いくつかの例としては、新しいトランスポートブロックが送信の間に送信されるべきであるというインジケーションを受信することを行うためのプロセス、特徴、手段、または命令があり得る。いくつかの例では、インジケーションは、１ビットのインジケータを含み得、新しいトランスポートブロックは、トランスポートブロックグループサイズよりも小さい再送信サイズを有する各空間多重化レイヤ上で送信される。他の例では、インジケーションは、新しいトランスポートブロックが各空間多重化レイヤ上で送信されるのかどうかのインジケーションを与えるマルチビットインジケータである。さらなる例では、インジケーションは、１ビットのインジケータを含み得、新しいトランスポートブロックは、トランスポートブロックグループサイズが少なくともしきい値だけそれぞれの空間多重化レイヤのための再送信サイズを上回る各空間多重化レイヤ上で送信される。
【００３２】
[0032]ワイヤレス通信の方法について、本開示の別の態様で説明する。本方法は、アップリンク送信のためのリソース許可を受信することと、リソース許可が、アップリンク送信のためのアップリンク送信リソースを識別する、リソース許可に少なくとも部分的に基づいて、アップリンク送信中に送信されるべきトランスポートブロックグループのためのトランスポートブロックグループサイズを決定することと、トランスポートブロックグループが、アップリンク送信中に送信されるべき２つ以上のトランスポートブロックからの複数のコードブロックを含む、アップリンク送信リソースのためのワイヤレス通信チャネルの利用可能性を決定するためにアップリンク送信のために使用されるべきワイヤレス通信チャネルに対してリッスンビフォアトーク（ＬＢＴ）プロシージャを実行することと、ワイヤレス通信チャネルがアップリンク送信リソースの一部分に対して利用不可能であることを示すＬＢＴプロシージャに基づいてトランスポートブロックグループサイズ、符号化レート、またはアップリンク送信のためのコードブロックの量のうちの１つまたは複数を修正することとを含み得る。
【００３３】
[0033]ワイヤレス通信のための装置について、本開示の別の態様で説明する。本装置は、アップリンク送信のためのリソース許可を受信するための手段と、リソース許可が、アップリンク送信のためのアップリンク送信リソースを識別する、リソース許可に基づいて、アップリンク送信中に送信されるべきトランスポートブロックグループのためのトランスポートブロックグループサイズを決定するための手段と、トランスポートブロックグループが、アップリンク送信中に送信されるべき２つ以上のトランスポートブロックからの複数のコードブロックを含む、アップリンク送信リソースのためのワイヤレス通信チャネルの利用可能性を決定するためにアップリンク送信のために使用されるべきワイヤレス通信チャネルに対してリッスンビフォアトーク（ＬＢＴ）プロシージャを実行するための手段と、ワイヤレス通信チャネルがアップリンク送信リソースの一部分に対して利用不可能であることを示すＬＢＴプロシージャに基づいてトランスポートブロックグループサイズ、符号化レート、またはアップリンク送信のためのコードブロックの量のうちの１つまたは複数を修正するための手段とを含み得る。
【００３４】
[0034]ワイヤレス通信のためのさらなる装置について、本開示の別の態様で説明する。本装置は、プロセッサと、プロセッサと電子通信しているメモリと、メモリに記憶され、プロセッサによって実行されたとき、本装置に、アップリンク送信のためのリソース許可を受信することと、リソース許可が、アップリンク送信のためのアップリンク送信リソースを識別する、リソース許可に基づいて、アップリンク送信中に送信されるべきトランスポートブロックグループのためのトランスポートブロックグループサイズを決定することと、トランスポートブロックグループが、アップリンク送信中に送信されるべき２つ以上のトランスポートブロックからの複数のコードブロックを含む、アップリンク送信リソースのためのワイヤレス通信チャネルの利用可能性を決定するためにアップリンク送信のために使用されるべきワイヤレス通信チャネルに対してリッスンビフォアトーク（ＬＢＴ）プロシージャを実行することと、ワイヤレス通信チャネルがアップリンク送信リソースの一部分に対して利用不可能であることを示すＬＢＴプロシージャに基づいてトランスポートブロックグループサイズ、符号化レート、またはアップリンク送信のためのコードブロックの量のうちの１つまたは複数を修正することとを行わせるように動作可能な命令とを含み得る。
【００３５】
[0035]ワイヤレス通信のためのコードを記憶する非一時的コンピュータ可読媒体について、本開示の別の態様で説明する。コードは、アップリンク送信のためのリソース許可を受信することと、リソース許可が、アップリンク送信のためのアップリンク送信リソースを識別する、リソース許可に基づいて、アップリンク送信中に送信されるべきトランスポートブロックグループのためのトランスポートブロックグループサイズを決定することと、トランスポートブロックグループが、アップリンク送信中に送信されるべき２つ以上のトランスポートブロックからの複数のコードブロックを含む、アップリンク送信リソースのためのワイヤレス通信チャネルの利用可能性を決定するためにアップリンク送信のために使用されるべきワイヤレス通信チャネルに対してリッスンビフォアトーク（ＬＢＴ）プロシージャを実行することと、ワイヤレス通信チャネルがアップリンク送信リソースの一部分に対して利用不可能であることを示すＬＢＴプロシージャに基づいてトランスポートブロックグループサイズ、符号化レート、またはアップリンク送信のためのコードブロックの量のうちの１つまたは複数を修正することとを行うように実行可能な命令を含み得る。
【００３６】
[0036]本明細書で説明する方法、装置、または非一時的コンピュータ可読媒体のいくつかの例では、複数のコードブロックは、第１のトランスポートブロックからの第１のコードブロックと第２のトランスポートブロックからの第２のコードブロックとを少なくとも備え、第１のコードブロックと第２のコードブロックとのコードブロックサイズが異なる。追加または代替として、いくつかの例では、アップリンク送信リソースは、アップリンク送信のための２つ以上の送信時間間隔（ＴＴＩ）を備え、ＬＢＴプロシージャは、第１の送信時間間隔（ＴＴＩ）に対して実行され、第１のＴＴＩについてＬＢＴプロシージャが失敗したときにＬＢＴプロシージャは第２のＴＴＩに対して実行される。いくつかの例では、修正することは、第１のＴＴＩについての失敗したＬＢＴプロシージャに基づいて実行される。
【００３７】
[0037]追加または代替として、いくつかの例では、アップリンク送信リソースは、アップリンク送信のための２つ以上の周波数リソースを備え、ＬＢＴプロシージャは、周波数リソースに対して実行される。いくつかの例では、修正することは、ワイヤレス通信チャネルがアップリンク送信のための周波数リソースのうちの１つまたは複数のために利用不可能であることを示すＬＢＴプロシージャに基づいて実行される。追加または代替として、いくつかの例では、２つ以上の周波数リソースは、２つ以上のワイヤレス通信チャネル上でのインターレースを備える。
【００３８】
[0038]本明細書で説明する方法、装置、または非一時的コンピュータ可読媒体のいくつかの例では、修正することは、アップリンク送信のための利用可能なリソースを決定することと、利用可能なリソース中での複数のコードブロックの送信をサポートするためにコーディングレートを修正することとを含み得る。追加または代替として、いくつかの例では、コーディングレートは、それぞれのコードブロックのサイズに基づいて複数のコードブロックに変調シンボルを割り振るように修正される。
【００３９】
[0039]本明細書で説明する方法、装置、または非一時的コンピュータ可読媒体のいくつかの例では、修正することは、アップリンク送信のための利用可能なリソースを決定することと、利用可能なリソース中で送信されるべき複数のコードブロックの一部分を識別することとを含み得る。追加または代替として、いくつかの例では、利用可能なリソース中で送信されるべきコードブロックの一部分を識別することは、複数のコードブロックのコード化ビットを利用可能なリソースに連続的にパックすることと、利用可能なリソースのすべてが占有された後に残りのコード化ビットをドロップすることとを含み得る。
【００４０】
[0040]本明細書で説明する方法、装置、または非一時的コンピュータ可読媒体のいくつかの例では、修正することは、アップリンク送信のための利用可能なリソースを決定することと、利用可能なリソースに基づいてトランスポートブロックグループサイズを修正することと、修正されたトランスポートブロックグループサイズに基づいてコードブロックのうちの１つまたは複数をドロップすることとを含み得る。追加または代替として、いくつかの例では、トランスポートブロックグループサイズを修正することは、複数のコードブロックのうちの１つまたは複数がアップリンク送信からドロップされるべきであると決定することをさらに含み得る。
【００４１】
[0041]本明細書で説明する方法、装置、または非一時的コンピュータ可読媒体のいくつかの例では、複数のコードブロックは、１つまたは複数の前のトランスポートブロックからの再送信コードブロックと新しいトランスポートブロックからの新しいコードブロックとを含み得、新しいコードブロックのうちのｇ１つまたは複数は、修正されたトランスポートブロックグループサイズに基づいて再生成され得る。
【００４２】
[0042]上記は、以下の発明を実施するための形態がより良く理解され得るように、本開示による例の特徴および技術的利点についてやや広く概説した。追加の特徴および利点について、以下で説明する。開示する概念および具体例は、本開示の同じ目的を実行するための他の構造を修正または設計するための基礎として容易に利用され得る。そのような等価な構成は、添付の特許請求の範囲から逸脱しない。本明細書で開示される概念の特徴、それらの編成と動作方法の両方は、関連する利点とともに、添付の図に関連して以下の説明を検討するとより良く理解されよう。図の各々は、例示および説明のためにのみ提供され、特許請求の範囲の限定の定義として提供されるものではない。
【図面の簡単な説明】
【００４３】
[0043]本発明の性質と利点とについてのさらなる理解は、以下の図面を参照することによって達成され得る。添付の図では、同様の構成要素または特徴は同じ参照ラベルを有し得る。さらに、同じタイプの様々な構成要素が、参照ラベルの後に、ダッシュと、同様の構成要素を区別する第２のラベルとを続けることによって区別され得る。第１の参照ラベルのみが本明細書において使用される場合、説明は、第２の参照ラベルにかかわらず、同じ第１の参照ラベルを有する同様の構成要素のうちのいずれか１つに適用可能である。
【図１】本開示の様々な態様による、複数のトランスポートブロック送信のためのコードブロック分割およびレートマッチングをサポートするワイヤレス通信システムの一例を示す図。
【図２】本開示の様々な態様による、複数のトランスポートブロック送信のためのコードブロック分割およびレートマッチングをサポートするワイヤレス通信サブシステムの一例を示す図。
【図３】本開示の様々な態様による、複数のトランスポートブロック送信のための異なるトランスポートブロックとトランスポートブロックグループとの一例を示す図。
【図４Ａ】本開示の様々な態様による、コードブロックの再送信と新しいトランスポートブロックの送信とのために使用されるトランスポートブロックグループの異なるリソースの例を示す図。
【図４Ｂ】本開示の様々な態様による、コードブロックの再送信と新しいトランスポートブロックの送信とのために使用されるトランスポートブロックグループの異なるリソースの例を示す図。
【図５】本開示の様々な態様による、複数のトランスポートブロック送信のためのコードブロック分割およびレートマッチングをサポートするワイヤレスリソース許可についてのシグナリング情報の一例を示す図。
【図６】本開示の様々な態様による、複数のトランスポートブロック送信のためのコードブロック分割およびレートマッチングをサポートする空間多重化の一例を示す図。
【図７Ａ】本開示の様々な態様による、複数のトランスポートブロック送信のためのコードブロック分割およびレートマッチングをサポートする時間リソースと周波数リソースとを含む共有無線周波数スペクトル帯域のリソース許可の一例を示す図。
【図７Ｂ】本開示の様々な態様による、複数のトランスポートブロック送信のためのコードブロック分割およびレートマッチングをサポートする割り振られたリソースの利用可能な共有無線周波数スペクトル帯域リソースの一例を示す図。
【図８】本開示の様々な態様による、複数のトランスポートブロック送信のためのコードブロック分割およびレートマッチングをサポートするプロセスフローの一例を示す図。
【図９】本開示の様々な態様による、複数のトランスポートブロック送信のためのコードブロック分割およびレートマッチングをサポートするプロセスフローの別の例を示す図。
【図１０】本開示の様々な態様による、複数のトランスポートブロック送信のためのコードブロック分割およびレートマッチングをサポートするワイヤレスデバイスのブロック図。
【図１１】本開示の様々な態様による、複数のトランスポートブロック送信のためのコードブロック分割およびレートマッチングをサポートするワイヤレスデバイスのブロック図。
【図１２】本開示の様々な態様による、複数のトランスポートブロック送信のためのコードブロック分割およびレートマッチングをサポートするワイヤレスデバイスのブロック図。
【図１３】本開示の様々な態様による、複数のトランスポートブロック送信のためのコードブロック分割およびレートマッチングをサポートするユーザ機器（ＵＥ）を含むシステムのブロック図。
【図１４】本開示の様々な態様による、複数のトランスポートブロック送信のためのコードブロック分割およびレートマッチングをサポートするワイヤレスデバイスのブロック図。
【図１５】本開示の様々な態様による、複数のトランスポートブロック送信のためのコードブロック分割およびレートマッチングをサポートするワイヤレスデバイスのブロック図。
【図１６】本開示の様々な態様による、複数のトランスポートブロック送信のためのコードブロック分割およびレートマッチングをサポートするワイヤレスデバイスのブロック図。
【図１７】本開示の様々な態様による、複数のトランスポートブロック送信のためのコードブロック分割およびレートマッチングをサポートする基地局を含むシステムのブロック図。
【図１８】本開示の様々な態様による、複数のトランスポートブロック送信のためのコードブロック分割およびレートマッチングのための方法を示す図。
【図１９】本開示の様々な態様による、複数のトランスポートブロック送信のためのコードブロック分割およびレートマッチングのための方法を示す図。
【図２０】本開示の様々な態様による、複数のトランスポートブロック送信のためのコードブロック分割およびレートマッチングのための方法を示す図。
【図２１】本開示の様々な態様による、複数のトランスポートブロック送信のためのコードブロック分割およびレートマッチングのための方法を示す図。
【図２２】本開示の様々な態様による、複数のトランスポートブロック送信のためのコードブロック分割およびレートマッチングのための方法を示す図。
【図２３】本開示の様々な態様による、複数のトランスポートブロック送信のためのコードブロック分割およびレートマッチングのための方法を示す図。
【発明を実施するための形態】
【００４４】
[0059]ワイヤレス通信システムにおける複数のトランスポートブロック（ＴＢ）の送信のためのコードブロック（ＣＢ）分割およびレートマッチングのための技法について説明する。上述のように、ＵＥまたは基地局などのワイヤレス通信デバイスは、送信中のデータを正常に復号するためにＣＢなどのデータの再送信に依拠し得る。さらに、本開示の様々な態様では、肯定応答／否定応答（ＡＣＫ／ＮＡＣＫ）フィードバックは、ＴＢレベルではなくＣＢレベルで与えられ得る。そのような態様では、異なるＴＢからのＣＢは、同じトランスポートブロックグループ（ＴＢＧ）送信中に送信され得る。さらに、そのような異なるＣＢは、ＴＢＧ送信内で異なるＣＢサイズを有し得る。いくつかの例では、ＴＢＧ送信中に１つまたは複数の前のＴＢからの再送信されるＣＢとともに新しいＴＢからのＣＢが含まれ得る。
【００４５】
[0060]ＣＢレベルのフィードバックは、いくつかの例では、共有無線周波数スペクトル帯域を使用して動作する展開において利用され得る。そのような展開は、「バースト的な」干渉の比較的高い出現率を有し得、ここで、比較的短い継続時間持続する断続的な干渉は、いくつかのＣＢの受信および復号の失敗を生じ得る。そのような展開においてＴＢレベルのフィードバックが使用された場合、ＴＢの比較的小さい部分のみに影響を及ぼした干渉により、ＴＢ全体が再送信されることになる。そのようなシナリオにおいてＣＢレベルのフィードバックを使用することは、ＴＢ全体ではなく、干渉によって影響を及ぼされるＣＢのみに関する再送信を通したワイヤレスリソースのより効率的な使用を提供し得る。そのような技法は、前述のような、バースト的な干渉が比較的頻繁に発生する状況において効率の向上をもたらし得る。ＴＢレベルのフィードバックを行うとき、否定応答（ＮＡＣＫ）のイベントにおいてＴＢ全体が再送信される。しかしながら、ＣＢレベルのフィードバックを行うとき、ＴＢのうちのいくつかのＣＢについてのみＮＡＣＫが受信され得、これが再送信され得る。ＴＢ全体が再送信されないので、複数の異なるＴＢからのＣＢが、本開示の様々な態様に従って、本明細書ではトランスポートブロックグループ（ＴＢＧ）と呼ぶものの中で送信され得、これは、複数の異なるＴＢからのＣＢを含み得る。
【００４６】
[0061]本開示のいくつかの態様によれば、送信のためのＴＢＧサイズが決定され得る。そのようなＴＢＧサイズは、たとえば、リソースブロック（ＲＢ）、送信時間間隔（ＴＴＩ）の数、または空間多重化ランク、ならびに送信のための変調およびコーディングスキーム（ＭＣＳ）（たとえば、変調次数およびコーディングレート）などの利用可能なリソースに基づいて決定され得る。そのようなリソース情報を使用して、利用可能な変調シンボルの数が（たとえば、利用可能なリソース要素をカウントすることによって）決定され得、利用可能なコード化ビットの数が（たとえば、ＭＣＳによって暗示された変調次数を乗算することによって）決定され得、送信のための利用可能な情報ビットの数が（たとえば、ＭＣＳによって暗示されたデータレートを使用することによって）決定され得る。再送信サイズは、次いで、ＴＢＧ中で再送信されるべきであるＣＢの数に基づいて決定され得る。再送信サイズを上回ってＴＢＧについて十分なリソースが残っている場合、新しいＴＢがＴＢＧ中で送信されるべきであると決定され得る。新しいＴＢのためのＴＢサイズは、ＴＢＧサイズと再送信サイズとの間の差に基づいて決定され得、新しいＴＢは、２つ以上のＣＢに分割され得、これらは、ＴＢＧ中で再送信されるべき他のＣＢとは異なるＣＢサイズを有し得る。本開示の態様は、新しいＣＢと再送信ＣＢとのＣＢの分割、ならびにコード化ビットのためのＣＢ長さに比例してコード化ビットを割り振ることによるレートマッチングのための技法を提供する。さらに、いくつかの例では、ＣＢ分割およびレートマッチングの空間多重化態様に対処する。さらに、本開示の態様は、共有無線周波数スペクトル帯域中でリッスンビフォアトーク（ＬＢＴ）プロシージャを実行した後に利用可能なワイヤレスリソースに基づいてアップリンク送信を修正するための技法を提供する。
【００４７】
[0062]本開示の態様について、初めにワイヤレス通信システムのコンテキストにおいて説明する。次いで、複数の異なるＴＢからのＣＢを含み得るＴＢＧについての具体的な例について、説明する。本開示のこれらおよび他の態様は、さらに、ワイヤレス通信の受信のためのメモリ管理に関係する装置図、システム図、およびフローチャートによって示し、それらを参照しながら説明する。
【００４８】
[0063]図１に、本開示の様々な態様による、ワイヤレス通信システム１００の一例を示す。ワイヤレス通信システム１００は、基地局１０５と、ユーザ機器（ＵＥ）１１５と、コアネットワーク１３０とを含む。いくつかの例では、ワイヤレス通信システム１００はロングタームエボリューション（ＬＴＥ）／ＬＴＥアドバンスト（ＬＴＥ−ａ）ネットワークであり得る。
【００４９】
[0064]基地局１０５は、１つまたは複数の基地局アンテナを介して、ＵＥ１１５とワイヤレスに通信し得る。各基地局１０５は、それぞれの地理的カバレージエリア１１０に通信カバレージを与え得る。ワイヤレス通信システム１００に示されている通信リンク１２５は、ＵＥ１１５から基地局１０５へのアップリンク（ＵＬ）送信、または基地局１０５からＵＥ１１５へのダウンリンク（ＤＬ）送信を含み得る。ＵＥ１１５は、ワイヤレス通信システム１００全体にわたって分散され得、各ＵＥ１１５は固定またはモバイルであり得る。ＵＥ１１５は、移動局、加入者局、リモートユニット、ワイヤレスデバイス、アクセス端末、ハンドセット、ユーザエージェント、クライアント、または何らかの他の好適な用語で呼ばれることもある。ＵＥ１１５はまた、セルラーフォン、ワイヤレスモデム、ハンドヘルドデバイス、パーソナルコンピュータ、タブレット、パーソナル電子デバイス、マシンタイプ通信（ＭＴＣ）デバイスなどであり得る。
【００５０】
[0065]基地局１０５は、コアネットワーク１３０とおよび互いに通信し得る。たとえば、基地局１０５は、バックホールリンク１３２（たとえば、Ｓ１など）を通して、コアネットワーク１３０とインターフェースし得る。基地局１０５は、直接または間接的にのいずれかで（たとえば、コアネットワーク１３０を通して）バックホールリンク１３４（たとえば、Ｘ２など）を介して互いに通信し得る。基地局１０５は、ＵＥ１１５との通信のための無線構成およびスケジューリングを実行し得るか、または基地局コントローラ（図示せず）の制御下で動作し得る。いくつかの例では、基地局１０５は、マクロセル、スモールセル、ホットスポットなどであり得る。基地局１０５はｅノードＢ（ｅＮＢ）１０５と呼ばれることもある。
【００５１】
[0066]上述のように、ＵＥ１１５または基地局１０５は、送信中のデータを正常に復号するためにＣＢなどのデータの再送信に依拠し得る。ハイブリッド自動再送要求（ＨＡＲＱ）フィードバックは、データがワイヤレス通信リンク１２５を介して正しく受信されることを保証する１つの技法である。ＨＡＲＱは、（たとえば、巡回冗長検査（ＣＲＣ）を使用する）誤り検出、前方誤り訂正（ＦＥＣ）、および再送信（たとえば、自動再送要求（ＡＲＱ））の組合せを含み得る。ＨＡＲＱは、不良な無線状態（たとえば、信号対雑音状態）において媒体アクセス制御（ＭＡＣ）レイヤにおけるスループットを改善し得る。インクリメンタル冗長ＨＡＲＱでは、不正確に受信されたデータ（たとえば、ＣＢのための対数尤度比（ＬＬＲ）データ）は、データを正常に復号することの全体的尤度を改善するために、バッファに記憶され、後続の送信と組み合わされ得る。場合によっては、冗長ビットが、送信より前に各メッセージに追加される。冗長ビットは、冗長バージョン識別情報（ＲＶＩＤ）によって識別され得、冗長ビットの送信は、チャネル状態が劣悪な状況において特に有用であり得る。他の場合には、冗長ビットは、各送信に追加されないが、オリジナルメッセージの送信機が、情報を復号する試みの失敗を示すＮＡＣＫを受信した後に再送信され得る。送信、応答および再送信のチェーンは、ＨＡＲＱプロセスと呼ばれることがある。場合によっては、限られた数のＨＡＲＱプロセスが所与の通信リンク１２５のために使用され得る。
【００５２】
[0067]場合によっては、ワイヤレス通信システム１００は、１つまたは複数の拡張コンポーネントキャリア（ｅＣＣ）を利用し得る。拡張コンポーネントキャリア（ｅＣＣ）は、フレキシブル帯域幅、異なる送信時間間隔（ＴＴＩ）、および修正された制御チャネル構成を含む、１つまたは複数の特徴によって特徴づけられ得る。場合によっては、ｅＣＣは、（たとえば、複数のサービングセルが準最適なバックホールリンクを有するとき）キャリアアグリゲーション（ＣＡ）構成またはデュアル接続性構成に関連し得る。ｅＣＣはまた、（たとえば、２つ以上の事業者が、スペクトルを使用することを認可された場合）無認可スペクトルまたは共有スペクトルにおいて使用するために構成され得る。共有スペクトルを使用するときに、送信機は、チャネルが送信のために利用可能であることを確認するためにワイヤレスチャネル上で送信するより前にＬＢＴプロシージャを実行し得る。フレキシブル帯域幅によって特徴づけられるｅＣＣは、全帯域幅をモニタできない、または（たとえば、電力を節約するために）限られた帯域幅を使用することを選好するＵＥ１１５によって利用され得る１つまたは複数のセグメントを含み得る。
【００５３】
[0068]場合によっては、ｅＣＣは、他のコンポーネントキャリア（ＣＣ）とは異なるＴＴＩ長を利用し得、これは、他のＣＣのＴＴＩと比較して低減されたまたは可変のシンボル持続時間の使用を含み得る。場合によっては、シンボル持続時間は同じままであり得るが、各シンボルは別個のＴＴＩを表し得る。いくつかの例では、ｅＣＣは、異なるＴＴＩ長に関連する複数の階層レイヤを含み得る。たとえば、ある階層レイヤにおけるＴＴＩは均一な１ｍｓサブフレームに対応し得るが、第２のレイヤでは、可変長ＴＴＩは短い持続時間シンボル期間のバーストに対応し得る。場合によっては、より短いシンボル持続時間は、増加されたサブキャリア間隔にも関連し得る。低減されたＴＴＩ長とともに、ｅＣＣは、動的時分割複信（ＴＤＤ）動作を利用し得る（すなわち、それは、動的条件に従って短いバーストのためにダウンリンク（ＤＬ）動作からアップリンク（ＵＬ）動作に切り替え得る）。
【００５４】
[0069]フレキシブル帯域幅および可変ＴＴＩは、修正制御チャネル構成に関連し得る（たとえば、ｅＣＣは、ＤＬ制御情報のために拡張物理ダウンリンク制御チャネル（ｅＰＤＣＣＨ）を利用し得る）。たとえば、ｅＣＣの１つまたは複数の制御チャネルは、フレキシブル帯域幅使用に適応するために周波数分割多重化（ＦＤＭ）スケジューリングを利用し得る。他の制御チャネル修正は、（たとえば、発展型マルチメディアブロードキャストマルチキャストサービス（ｅＭＢＭＳ）スケジューリングのための、または可変長ＵＬおよびＤＬバーストの長さを示すための）追加の制御チャネルの使用、あるいは異なる間隔で送信される制御チャネルの使用を含む。ｅＣＣは、修正または追加ＨＡＲＱ関係制御情報をも含み得る。
【００５５】
[0070]本開示の様々な態様は、ＴＢＧ内での複数のＴＢの送信のためのＣＢ分割およびレートマッチングを提供する。上述のように、本開示の様々な態様は、ＴＢレベルではなくＣＢレベルで与えられる肯定応答／否定応答（ＡＣＫ／ＮＡＣＫ）フィードバックを提供する。そのような態様では、異なるＴＢからのＣＢが同じＴＢＧ送信中に送信され得、異なるＣＢは、ＴＢＧ送信内で異なるＣＢサイズを有し得る。いくつかの例では、ＴＢＧ送信中に１つまたは複数の前のＴＢからの再送信されるＣＢとともに新しいＴＢからのＣＢが含まれ得る。本開示のいくつかの態様によれば、送信のためのＴＢＧサイズが決定され得、次いで、ＴＢＧ中で再送信されるべきであるいくつかのＣＢに基づいて再送信サイズが決定され得る。再送信サイズを上回ってＴＢＧについて十分なリソースが残っている場合、新しいＴＢがＴＢＧ中で送信されるべきであることが決定され、新しいＴＢのためのＴＢサイズは、ＴＢＧサイズと再送信サイズとの間の差に基づいて決定され得る。新しいＴＢは、２つ以上のＣＢに分割され得、これらは、ＴＢＧ中で再送信されるべき他のＣＢとは異なるＣＢサイズを有し得る。本開示のいくつかの態様は、新しいＣＢと再送信ＣＢとのＣＢの分割、ならびにコード化ビットのためのＣＢ長さに比例してコード化ビットを割り振ることによるレートマッチングのための技法を提供する。さらに、いくつかの例では、ＣＢ分割およびレートマッチングの空間多重化態様に対処する。さらに、本開示の態様は、共有無線周波数スペクトル帯域中でリッスンビフォアトーク（ＬＢＴ）プロシージャを実行した後に利用可能なワイヤレスリソースに基づいてアップリンク送信を修正するための技法を提供する。
【００５６】
[0071]図２に、本開示の様々な態様による、複数のトランスポートブロック送信のためのコードブロック分割およびレートマッチングのためのワイヤレス通信サブシステム２００の一例を示す。ワイヤレス通信サブシステム２００は、図１を参照しながら説明したＵＥ１１５基地局１０５の例であり得る、デバイス１１５−ａと基地局１０５−ａとを含み得る。基地局１０５−ａは、カバレージエリア１１０−ａを有し得、通信リンク１２５−ａを介してデバイス１１５−ａと通信し得る。いくつかの例では、通信リンク１２５−ａは、共有無線周波数スペクトル帯域中で共有チャネルを使用し得る。
【００５７】
[0072]図２の例では、Ｗｉ−Ｆｉ（登録商標）ノード２０５は、ＵＥ１１５−ａの近くに位置し得、ＵＥ１１５−ａと基地局１０５−ａとの間の送信に干渉し得る。たとえば、Ｗｉ−Ｆｉノード２０５は、ＵＥ１１５−ａまたは基地局１０５−ａによってＴＢＧの１つまたは複数のＣＢが正常に受信されないことを生じ得るバースト的干渉を送信し得る。たとえば、Ｗｉ−Ｆｉノード１０５が無線フレームのＤＬ部分の間に送信する場合、ＵＥ１１５−ａは、干渉を受け、基地局１０５−ａから１つまたは複数のＣＢを適切に受信し、復号することができないことがある。それに応答して、ＵＥ１１５−ａは、正常に受信されなかったＣＢのためのＮＡＣＫを送信し得、これは、基地局１０５−ａにＮＡＣＫフィードバックを有するＣＢを再送信するように促し得る。いくつかの例では、以下でより詳細に説明するように、基地局１０５−ａとＵＥ１１５−ａとは、ＴＢＧサイズと、ＴＢＧ中で再送信されるべきＣＢの再送信サイズと、送信のための新しいＴＢサイズとを決定し得る。さらに、ＴＢＧサイズ、再送信サイズ、新しいサイズ、またはそれらの組合せに基づくレートマッチングを提供する場合、異なるＣＢに対してＣＢ長さに比例したコード化ビットの割振りが提供され得る。そのような技法は、本開示のいくつかの態様によれば、２つ以上の空間多重化レイヤに与えられ得る。さらに、本開示のいくつかの態様では、アップリンク許可の１つまたは複数の部分のためにワイヤレスリソースが利用可能でないことをＬＢＴプロシージャが示すとき、ＵＥ１１５−ａはＵＬ送信を修正し得る。図２には、ただ１つのＵＥ１１５−ａを示しているが、多くのＵＥ１１５が基地局１０５−ａと通信していることがある。
【００５８】
[0073]図３に、本開示の様々な態様による、複数のトランスポートブロック送信のための異なるトランスポートブロックとトランスポートブロックグループとの一例３００を示す。図３の例では、第１のトランスポートブロックＴＢ０  ３０５は、ＣＢ３１０を含み得る。第２のトランスポートブロックＴＢ１  ３１５は、ＣＢ３２０を含み得、第３のトランスポートブロック３２５は、新しいＴＢであり、ＣＢ３３０を含み得る。ＴＢ３０５、３１５、および３２５は、図１〜図２を参照しながら説明した基地局１０５とＵＥ１１５との間など、基地局とＵＥとの間で送信され得る。
【００５９】
[0074]この例では、ＴＢ０  ３０５は、前のＴＢＧで送信されていることがあり、ＣＢ0-1  ３１０−ａ、ＣＢ0-2  ３１０−ｂ、ＣＢ0-3  ３１０−ｃ、ＣＢ0-4  ３１０−ｄ〜ＣＢ0-n  ３１０−ｎを含み得る。たとえば、ＴＢ０  ３０５は、ＵＥに対するダウンリンクＴＢであり得、ＵＥにおける受信は、ＣＢ0-1  ３１０−ａについて失敗し、ＴＢ０  ３０５の残りのＣＢ３１０について成功した。ＵＥは、ＴＢ０  ３０５の受信に続いて、ＣＢ0-1  ３１０−ａのためのＮＡＣＫフィードバックを含むＨＡＲＱフィードバックを生成し得る。同様に、ＴＢ１  ３１５は、前のＴＢＧで送信されていることがあり、ＣＢ1-1  ３２０−ａ、ＣＢ1-2  ３２０−ｂ、ＣＢ1-3  ３２０−ｃ、ＣＢ1-4  ３２０−ｄ〜ＣＢ1-n  ３２０−ｎを含み得る。ＴＢ１  ３１５は、ＵＥに対するダウンリンクＴＢであり得、ＵＥにおける受信は、ＣＢ1-2  ３２０−ｂについて失敗し、ＴＢ１  ３１５の残りのＣＢ３２０について成功した。ＵＥは、ＴＢ０  ３１５の受信に続いて、ＣＢ1-2  ３２０−ｂのためのＮＡＣＫフィードバックを含むＨＡＲＱフィードバックを生成し得る。ＴＢ０  ３０５のＣＢ３１０のサイズは、ＴＢ１  ３１５のＣＢ３２０とは異なるサイズであり得る。ＴＢ２  ３２５は、上述のように、新しいＴＢであり得、ＣＢ2-1  ３３０−ａ、ＣＢ2-2  ３３０−ｂ、ＣＢ2-3  ３３０−ｃ、ＣＢ2-4  ３３０−ｄ〜ＣＢ2-n  ３３０−ｎを含み得る。ＴＢ２  ３２５は、ＵＥに送信されるべきであるダウンリンクＴＢであり得る。
【００６０】
[0075]上記で説明したように、本開示の様々な態様では、ＣＢベースのフィードバックがＵＥと基地局との間の送信のために与えられ得る。図３の例では、そのようなＣＢベースのフィードバックは、送信されたＣＢ３１０および３２０の各々のためのＨＡＲＱフィードバックを含み得、この例では、ＵＥは、ＣＢ0-1  ３１０−ａとＣＢ1-2  ３２０−ｂとの両方のためのＮＡＣＫフィードバックを送信していることがある。基地局は、ＣＢ0-1  ３１０−ａとＣＢ1-2  ３２０−ｂとのためのＮＡＣＫフィードバックの受信時に、これらのＣＢを再送信し得、これらは、再送信を示すＲＶＩＤと一緒に再送信され得る。いくつかの例では、上述のように、再送信されるＣＢは、複数のＴＢからのＣＢを含み得るＴＢＧ中で送信され得る。図３の例では、ＴＢＧ３３５は、ＣＢ0-1  ３１０−ａ−１とＣＢ1-2  ３２０−ｂ−１との再送信バージョンを含み得る。この例におけるＴＢＧ３３５はまた、新しいＴＢ３２５を含み得、これは、ＣＢ2-1  ３３０−ａ−１、ＣＢ2-2  ３３０−ｂ−１、ＣＢ2-3  ３３０−ｃ−１、ＣＢ2-4  ３３０−ｄ−１〜ＣＢ2-n  ３３０−ｎ−１を含む。また、上記で説明したように、ＣＢ３１０と、ＣＢ３２０と、ＣＢ３３０とのサイズは異なり得る。
【００６１】
[0076]ＴＢ２  ３２５などの新しいＴＢがＴＢＧ  ３３５などのＴＢＧ中で送信され得ると決定すると、ＴＢＧ３３５を送信すべきＵＥまたは基地局は、最初に、ＴＢＧサイズを識別し得る。たとえば、基地局は、ＵＥへのダウンリンク送信のためのＴＢＧサイズを計算し得る。いくつかの例では、ＴＢＧ３３５のサイズＬが、ＤＬ許可のためのレガシーＴＢサイズと同様の方法で計算され得る。ＤＬ許可は、割り当てられたいくつかのＲＢ、いくつかのＴＴＩ、ランク、またはそれらの組合せなどの割り当てられたリソースを含み得る。ＤＬ許可はまた、ＭＣＳ情報を含み得、これは、変調次数およびコードレートを推論するために使用され得る。利用可能な変調シンボルの数は、利用可能なＲＥをカウントすることによって計算され得、利用可能なコードビットの数は、ＭＣＳによって暗示された変調次数を乗算することによって計算され得る。情報ビットの数は、次いで、ＭＣＳによって暗示されたデータレートを使用して計算され得、これは、ＴＢＧ３３５のためのサイズを与え得る。再送信サイズ３４０は、次いで、ＴＢＧ３３５中で再送信されるべきであるＣＢのアグリゲートされたサイズとして決定され得る。図３の例では、再送信サイズ３４０は、ＣＢ0-1  ３１０−ａ−１とＣＢ1-2  ３２０−ｂ−１との再送信バージョンのアグリゲートされたサイズである。再送信サイズ３４０とＴＢＧサイズとに基づいて、新しいＴＢサイズ３４５は、再送信サイズとＴＢＧサイズとの間の差として決定され得る。
【００６２】
[0077]いくつかの例では、ＣＢを再送信していることがある前のトランスポートブロックの数（ＮｕｍＴＢ）が決定され得、再送信のための最も古いＴＢより前に送信されたＴＢからのＣＢがドロップされ得る。たとえば、図３において、ＮｕｍＴＢは２であり得、２つの前のＴＢのＴＢ１  ３１５とＴＢ０  ３０５とからのＣＢ３１０、３２０が再送信され得ることを示す。前のＴＢ（たとえば、ＴＢ０  ３０５より前に送信されたＴＢ）からの任意のＣＢが依然としてまだ再送信されていない場合、これらのＣＢはドロップされ得る。そのようなドロップされたＣＢの再送信は、たとえば、上位レイヤ再送信を通して開始され得る。ＮｕｍＴＢの値は、ほんのいくつかの例を挙げれば、送信されるべきキュー中のデータの量、他のネットワークトラフィックの量、チャネル状態などのいくつかのファクタのうちの１つまたは複数に基づいて確立され得る。ＮｕｍＴＢは、いくつかの条件にマッピングされ得るか、または半静的にまたは動的にシグナリングされ得る。いくつかの例では、ＮｕｍＴＢのインジケーションは、ワイヤレスリソース許可情報とともに送信され得る。ＮｕｍＴＢに基づいて、どのＣＢがまだ再送信されていないのかが決定され得、残りの再送信ＣＢの各々はそれぞれ、長さｌkを有し得、これは、いくつかの例では、Ｌ’＝Σｌkとして計算される再送信サイズを決定するためにアグリゲートされ得る。Ｌ＞Ｌ’である場合、図３のＴＢ２  ３２５などの新しいＴＢが送信され得ると決定され得る。
【００６３】
[0078]いくつかの例では、ワイヤレスリソース許可は、新しいデータをＴＢＧ中で送信すべきであるのかどうかを示し得、これは、様々な例によれば、「ＮＤＩ」インジケータとしてシグナリングされ得る。ＮＤＩとＬ対Ｌ’との組合せは、いくつかの組合せを与え得る。１つの組合せは、ＮＤＩ＝１およびＬ＞Ｌ’である場合であり得、ここで、新しいＴＢは、新しいＴＢサイズＬ0＝Ｌ−Ｌ’で追加され得る。別の組合せは、ＮＤＩ＝１およびＬ≦Ｌ’である場合であり得、これは、再送信の数が総ＴＢＧサイズを満たすかまたはそれを上回り、新しいデータが送信されるべきである無効な場合を生じる。そのような状況は、再送信されるべき残りのＣＢを依然として有するより古いＴＢを除去するためにプルーニングのために使用され得、ＮｕｍＴＢは、Ｌ＞Ｌ’まで減分され得る。さらに別の組合せは、ＮＤＩ＝０およびＬ＞Ｌ’またはＬ≦Ｌ’である場合であり得、その場合、すべてのコード化ビットが再送信ＣＢに比例的に割り当てられ得る。
【００６４】
[0079]いくつかの例では、ＮＤＩ＝１およびＬ＞Ｌ’であるとき、Ｌ0は、レガシー送信において使用されるのと同様の技法を使用してコードブロックに分割され得、ここで、比較的大きいＣＢサイズが選択され得、ＴＢ中のＣＢは、ほとんど均一なＣＢサイズを有するように選択され得る。したがって、そのような技法を使用して、新しいＴＢのためのＣＢサイズ（たとえば、図３中のＴＢ２  ３２５のＣＢ３３０のサイズ）が決定され得、これは、前の送信されたＴＢのＴＢ０  ３０５とＴＢ１  ３１５とにおいて使用されるのとは異なるＣＢサイズであり得る。いくつかの例では、Ｌの値は、Ｌ’よりもわずかしか大きくないことがあり、ＴＢＧに新しいＴＢを追加することは、効率の向上をもたらさないことがある。そのような場合、上記で説明したＮＤＩインジケータの値などの新しいＴＢインジケータの値は、新しいＴＢが送信されていないことを示すように依然として設定され得る。いくつかの例では、ＴＢＧ中に新しいＴＢを含めるためにしきい値が与えられ得る。そのようなしきい値は、いくつかの例では、再送信されるべきコードブロックのためのＣＢサイズ、ＴＢＧサイズと再送信サイズとの比率、または送信のための変調およびコーディングスキームのうちの１つまたは複数に基づいて決定され得る。
【００６５】
[0080]ＵＥまたは基地局などの異なるＴＢ３０５、３１５、３２５の受信機は、ＣＢ関連の情報のいくつかのアイテムを維持し得る。たとえば、受信機は、ＣＢごとに、ＴＢ内のＣＢ位置とともにＣＢがどのＴＢからのものであるのかを維持し得る。この情報は、ＴＢのＣＢのすべての正常な受信および復号に続いてＴＢを再アセンブルするために使用され得る。受信機はまた、各ＴＢのための情報ビットの数と、再送信されるべきＣＢのためのＨＡＲＱ  ＬＬＲバッファ中のＣＢのロケーションと、復号されたビットバッファ中の復号されたＣＢのロケーションと、ＣＢごとの復号の合格または不合格のインインジケーションとを維持し得る。受信機は、受信されたＴＢを復号し、再構築するために、複数のＴＢからのＣＢを有する新しいＴＢＧを受信する際にこれらの様々な情報アイテムを使用し得る。
【００６６】
[0081]上述のように、本開示の様々な態様はまた、送信されたＣＢのためのレートマッチングを与え、これは、ＣＢ長さに比例したコード化ビットの割振りを与えるために使用され得る。いくつかの例では、所与のワイヤレスリソース割当てでは、コード化ビットの数Ｍが識別され得る。いくつかの例では、Ｍ個のコード化ビットは、各ＣＢ中の情報ビットの数に比例して分割され得る。いくつかのレガシー展開では、そのような展開のＣＢがほぼ等しいサイズであるので、コード化ビットＭは、一様に分割され得る。しかしながら、本開示の例によれば、ＴＢＧ内のＣＢサイズは、ＣＢレベルの再送信と１つのＴＢＧ中での複数のＴＢの混合とにより均一でないことがある。いくつかの例では、１つのリソース要素（ＲＥ）中のコード化ビットは、複数のＣＢにまたがらないように選択され、これは、ＴＢ内のＣＢについてＣＢサイズのわずかな差異を生じるが、全体的に比較的均一なＣＢサイズを生じ得る。いくつかの例では、Ｕは、１つのＲＥ中のコード化ビットの数として定義され得る（たとえば、変調次数×空間多重化ランク）。値Ｍ’＝Ｍ／Ｕは、割当てユニットの数として定義され得る。所与のＣＢ、ｋについて、ｌk個の情報ビットで、値ｌは、ｌ＝Σｌkとして定義され得る。値ｍkおよびΔは、いくつかの例によれば、
【００６７】
【数１】
0006567759.tif 000002
【００６８】
およびΔ＝Ｍ’−Σｍkとして定義され得る。コード化ビットは、次いで、第１のΔＣＢに（ｍk＋１）個のコード化ビットを与え、残りのＣＢにｍkＵ個のコード化ビットを与えるように割り当てられ得る。したがって、例では、コード化ビットは、ＣＢ長さに比例して割り振られる。
【００６９】
[0082]受信機が受信されたＣＢをデマップし、復号しているとき、レートマッチング情報が与えられれば、デマッパは、ＬＬＲを計算し、それらを各ＣＢのＬＬＲバッファコンテンツと連続的に組み合わせ得る。いくつかの例では、デコーダは、各ＣＢを連続的に処理し得、ＣＢ復号が合格する場合、デコーダは、ＣＢを復号済みとマーキングし得、ＴＢに情報ビットを配信し得、関連するＨＡＲＱ  ＬＬＲバッファをクリアし得る。ＣＢ復号のイベントの失敗の場合、ＮＡＣＫフィードバックが生成され得、再送信を待つためにＣＢのＬＬＲ値がＨＡＲＱ  ＬＬＲバッファにオフロードされ得る。
【００７０】
[0083]上記で説明したように、新しいＴＢサイズは、総ＴＢＧサイズと再送信サイズとに基づいて決定され得る。図４Ａに、本開示の様々な態様による、再送信されるＣＢ４１０と新しいＣＢ４１５とを含み得るＴＢＧ４０５の一例４００を示す。ＴＢＧ４０５は、図１〜図２を参照しながら説明したように、ＵＥ１１５と基地局１０５との間で送信され得る。図４Ａの例では、複数の以前に送信されたＴＢからの再送信されるＣＢを含み得、異なるＣＢサイズを有する異なるＣＢを含み得る再送信されるＣＢ４１０は、再送信サイズ４２０を有し得る。総ＴＢＧサイズ４２５はまた、図３に関して上記で説明したような方法で決定され得る。新しいＴＢサイズ４３０は、次いで、再送信サイズ４２０とＴＢＧサイズ４２５との間の差に基づいて決定され得る。図４Ａの例では、再送信サイズ４２０とＴＢＧサイズ４２５との間の差は、新しいＴＢ送信をサポートするのに十分大きい。
【００７１】
[0084]他の例では、再送信サイズとＴＢＧサイズとの間の差は、ＴＢＧ中での新しいＴＢの送信を効率的にサポートするのに十分大きくないことがある。図４Ｂに、ＴＢＧ４０５−ａの再送信サイズ４１５−ａを消費する再送信されるＣＢ４１０−ａを含み得るＴＢＧ  ４０５−ａの一例４５０を示す。この例では、再送信サイズ４１５−ａは、かなりの量のＴＢＧサイズ４２５−ａを占有し得、したがって、残りのＴＢＧリソース４３０は、新しいＴＢの効率的な送信のために十分でないことがある。この例では、ＴＢＧサイズ４２５−ａが再送信サイズ４１５−ａよりも大きいとしても、新しいＴＢ送信に関連するオーバーヘッド（たとえば、ＣＲＣオーバーヘッドなど）が、新しいＴＢの効率的な送信を提供しないことがある。上述のように、いくつかの例では、ＴＢＧ中に新しいＴＢを含めるためにしきい値が与えられ得る。そのようなしきい値は、いくつかの例では、再送信されるべきコードブロックのためのＣＢサイズ、ＴＢＧサイズと再送信サイズとの比率、または送信のための変調およびコーディングスキームのうちの１つまたは複数に基づいて決定され得る。
【００７２】
[0085]図５に、本開示の様々な態様による、複数のトランスポートブロック送信のためのコードブロック分割およびレートマッチングを提供し得るシグナリング情報５００の一例を示す。シグナリング情報５００は、いくつかの例では、図１〜図２を参照しながら説明した基地局１０５からＵＥ１１５に送信され得るＤＬ許可５０５を含み得る。この例では、ＤＬ許可５０５は、リソース割当て５１０を含み得、これは、後続の送信のためのワイヤレスリソース（たとえば、時間リソース、周波数リソースまたはそれらの組合せ）を識別し得る。ＭＣＳフィールド５１５は、送信についての変調およびコーディング情報を与え得る。ＮＤＩフィールド５２０は、ＤＬ送信が新しいＴＢを含むことになるのか、あるいは１つまたは複数の以前に送信されたＴＢの再送信のみを含むことになるのかのインジケーションを与え得る。ＮｕｍＴＢフィールド５２５は、ＤＬ送信中に再送信されるＣＢを有し得る前のＴＢの数のインジケーションを含み得る。いくつかの例では、ＤＬ許可５０５に基づいて、ＵＥは、１つまたは複数の前のＴＢのどのＣＢが再送信されるべきであるのかと、送信のためのＴＢＧサイズとを決定し得る。ＵＥはまた、新しいＴＢが送信されるべきであるのかどうかを決定し得、ＣＢ送信についてのレートマッチング情報を決定するためにそのような情報を使用し得る。
【００７３】
[0086]図６に、本開示の様々な態様による、複数のトランスポートブロック送信のためのコードブロック分割およびレートマッチングをサポートするトランスポートブロックグループ送信の空間多重化の一例６００示す。図６の例６００では、図１〜図２を参照しながら説明したＵＥ１１５および基地局１０５などのＵＥと基地局とは、ランク２の空間多重化をサポートし得、これにより、基地局とＵＥとの複数のアンテナを使用してＵＥと基地局との間で２つの同時コードワードを送信することが可能になり得る。図６の例では、第１のトランスポートブロックグループＴＢＧ１  ６０５を送信するために第１の空間多重化レイヤが使用され得、これは、ＣＢ−１  ６１０〜ＣＢ−ｎ  ６１５を含み得る。同様に、第１のトランスポートブロックグループＴＢＧ１  ６２０を送信するために第２の空間多重化レイヤが使用され得、これは、ＣＢ−ａ  ６２５〜ＣＢ−ｍ  ６３０を含み得る。
【００７４】
[0087]いくつかの例によれば、ＴＢＧ１  ６２０のＭＣＳは、ＴＢＧ２のＭＣＳとは異なり得、各レイヤについて、ＴＢＧサイズＬ（ｉ）が、レイヤｉ＝０、１について計算され得る。各空間多重化レイヤについて、再送信サイズＬ’（ｉ）が、図３、図４Ａ、および図４Ｂに関して上記で説明したような方法で計算され得る。Ｌ（ｉ）とＬ’（ｉ）との比較は、以下の表１に示されているように４つの組合せを与え得る。
【００７５】
【表１】
0006567759.tif 000003
【００７６】
いくつかの例では、Ｌ（ｉ）がＬ’（ｉ）よりもわずかに大きい場合、ＮＤＩの値は、依然として０に設定され、新しいＴＢが、レイヤ上で送信されないことがある。代わりに、再送信ＣＢが、利用可能なワイヤレスリソースを占有するためにレートマッチングを使用してＴＢＧ中で再送信され得る。
【００７７】
[0088]いくつかの例では、１つの空間多重化レイヤは、関連する再送信サイズよりもはるかに大きいＴＢＧサイズを有し得、一方、他のレイヤは、再送信サイズよりもわずかしか大きくないＴＢＧサイズを有し得る。たとえば、Ｌ（０）は、Ｌ’（０）よりもわずかに大きいことがあるが、Ｌ（１）は、Ｌ’（１）よりもはるかに大きいことがある。したがって、新しいＴＢは、第１の空間多重化レイヤ中でのみ送信され得る。そのような新しいＴＢ送信は、いくつかの例では、２ビットのＮＤＩインジケータを通して示され得、これは、新しいＴＢ送信のための４つの異なる順列にマッピングし得る。他の例では、Ｌ（ｉ）−Ｌ’（ｉ）があるしきい値よりも小さい場合、新しいＴＢが送信されるべきであることをＮＤＩが示す場合でも、新しいＴＢがレイヤ上で送信されないことになるようなルールが確立され得る。いくつかの例では、しきい値は、たとえば、再送信ＣＢのサイズ、ＭＣＳ、ＴＢＧサイズ、またはそれらの組合せなど、いくつかのファクタに基づき得る。いくつかの例では、ＣＢ分割が各空間多重化レイヤに対して実行され、ＣＢは、２つの空間多重化レイヤにわたって送信されない。
【００７８】
[0089]図７Ａに、本開示の様々な態様による、複数のトランスポートブロック送信のためのコードブロック分割およびレートマッチングのためのアップリンク送信リソース７００の一例を示す。アップリンクリソース７００は、図１〜図２を参照しながら説明したＵＥ１１５および基地局１０５など、ＵＥから基地局にアップリンク通信を送信するために使用され得る。アップリンクリソース７００は、図２〜図６に関して説明したのと同様の方法で、複数のＴＢからのＣＢを含み得るＴＢＧを送信するために使用され得る。図７の例では、アップリンク許可７４５は、アップリンク通信のために利用可能な複数のワイヤレスチャネルなどの周波数リソース７０５とアップリンク送信のための複数のＴＴＩなどの時間リソース７１０との両方を識別し得る。図７Ａの例では、アップリンクリソース許可７４５は、ＴＴＩ−１  ７１５へのチャネル１の割振り、ＴＴＩ−２  ７２０へのチャネル１の割振り、ＴＴＩ−３  ７２５へのチャネル１の割振り、ＴＴＩ−１  ７３０へのチャネル２の割振り、ＴＴＩ−２  ７３５へのチャネル２の割振り、およびＴＴＩ−３  ７４０へのチャネル２の割振りを含み得る。共有無線周波数スペクトル帯域を使用するときに、異なるリソース７００がアップリンク送信のために利用可能であることを確認するために、クリアチャネルアセスメント（ＣＣＡ）などのＬＢＴプロシージャが実行され得る。場合によっては、リソース７００のうちの１つまたは複数がＣＣＡをクリアしないことがあり、したがって、ＵＥがその特定リソースを使用して送信することができないことがある。
【００７９】
[0090]図７Ｂに、本開示の様々な態様による、複数のトランスポートブロック送信のためのコードブロック分割およびレートマッチングのためのアップリンク送信リソース７５０、ＬＢＴプロシージャに合格しない部分、の一例を示す。アップリンク送信リソース７５０は、図１〜図２を参照しながら説明したＵＥ１１５および基地局１０５など、ＵＥから基地局にアップリンク通信を送信するために使用され得る。図７Ｂの例では、ＬＢＴ結果７９５は、２つのリソース割振り、すなわち、チャネル１ＴＴＩ−１  ７６０とチャネル２ＴＴＩ−１  ７８０とが失敗したＬＢＴプロシージャを有することを提供する。残りのリソース割振り、すなわち、チャネル１ＴＴＩ−２  ７６５、チャネル１ＴＴＩ−３  ７７０、チャネル２ＴＴＩ−２  ７８５、およびチャネル２ＴＴＩ−３  ７９０は、成功したＬＢＴプロシージャを有する。図７Ａのリソース割振り７４５が決定されると、ＴＢＧサイズと対応する再送信サイズと新しいＴＢ送信サイズとが決定され得る。しかしながら、図７Ｂに示すように、割り振られたアップリンクリソースの全部または一部が送信のために利用可能でないとき、ＵＥは、利用可能なアップリンクリソースに基づいてアップリンク送信を修正し得る。
【００８０】
[0091]たとえば、図７Ｂの図示のシナリオでは、ＴＴＩ−１におけるＬＢＴ（たとえば、ＣＣＡ）の失敗により、時間領域リソース制限に遭遇し、ＵＥは、後のＴＴＩにおいて利用可能なチャネルのみを検査する。したがって、ＵＥは、チャネルのうちの１つまたは複数がＬＢＴプロシージャに合格するときに送信を開始することができる。ＵＥは、そのような例では、アップリンクリソース割振り７４５にスケジュールされた送信することを依然として停止することになる。同様に、ＵＥに割り振られた周波数チャネルのすべてについてＬＢＴプロシージャに合格しないことがある周波数ドメインリソース制限に遭遇し得る。たとえば、アップリンクリソース許可７４５が、２つの２０ＭＨｚのチャネル上でのインターレースを含み得るが、ＣＣＡが１つのチャネルしか合格しないことがある。そのような場合、ＵＥは、ＣＣＡをクリアしたチャネル上で送信し得る。図７Ｂの図が、１つのＴＴＩのための時間制約と周波数制約との両方を示すが、時間制約と周波数制約とは、互いに無関係に発生することも、同時に発生することもある。
【００８１】
[0092]利用可能なアップリンク送信リソースが割り振られたアップリンク送信リソースよりも小さい状況において、様々な例は、利用可能なアップリンク送信リソースに適応するためにＴＢＧサイズの修正およびレートマッチングを提供する。第１のセットの例では、１つまたは複数の割り振られたアップリンク送信リソースが、送信のために利用可能でないと決定される場合、ＵＥは、オリジナルアップリンクリソース許可からのＴＢＧサイズを保ち、すべての利用可能なＣＢにわたって低減された量のコード化ビットを分割するようにレートマッチングを修正し得る。第２のセットの例では、１つまたは複数の割り振られたアップリンク送信リソースが、送信のために利用可能でないと決定される場合、ＵＥは、オリジナルアップリンクリソース許可からのＴＢＧサイズと同じレートマッチングとを保ち、ＴＢＧの終わりにＣＢ送信を連続的に中断し得る。第３のセットの例では、１つまたは複数の割り振られたアップリンク送信リソースが、送信のために利用可能でないと決定される場合、ＵＥは、実際の利用可能なリソースが与えられれば、ＴＢＧサイズを再計算し得る。
【００８２】
[0093]第１のセットの例では、上述のように、ＵＥは、送信されるべきＣＢの間で利用可能なリソースを分割するためにレートマッチングを使用し得る。そのような例では、ＵＥは、最初に許可されたより少ないリソースしか利用可能でなかったとしても再計算なしで、割り当てられた公称リソースで計算されたＴＢＧサイズを使用し得る。リソースは、ＣＢの間で残りのリソースを分割するために、ＴＢＧのＣＢのためのＣＢサイズに比例的に割り振られ得る。そのような技法は、ＣＢの情報を再符号化することなしにアップリンクリソースに割り振られたＴＢＧおよびＣＢを維持しながら、アップリンクリソースを修正し得る。有意な量の割り振られたアップリンクリソースが、ＬＢＴプロシージャをクリアしない場合、コードレートが比較的高くなり得、これは、基地局におけるＣＢの正常な受信および復号の可能性を低減し得る。そのような状況では、再送信が、使用され、ＣＢのデータを搬送し得る。いくつかの例では、割り振られたアップリンクリソースのしきい値量がＬＢＴプロシージャをクリアしない場合（たとえば、４０％以上）、第１のセットの例の技法が使用されないことがあるか、または他のセットの例と連携して使用され得る。
【００８３】
[0094]第２のセットの例では、上述のように、ＵＥは、オリジナルアップリンクリソース許可からのＴＢＧサイズと同じレートマッチングとを保ち、ＴＢＧの終わりにＣＢ送信を連続的に中断し得る。したがって、そのような技法は、ＴＢＧの一部分の送信を本質的に遅延させ、ＴＢＧ計算とレートマッチングとの両方は公称許可に従う。実際のアップリンクリソース量が決定されると、ＵＥは、コード化ビットを利用可能なＲＥに連続的にパックし、すべての利用可能なリソースが使用された後に残りのコード化ビットをドロップし得る。そのような技法を使用して、送信されなかったコード化ビットは、チャネルが減衰したかのように効果的に扱われ、送信を完了するためにＣＢレベルの再送信に依拠し得る。基地局は、送信のために使用されるアップリンクリソースが最初に割り振られたものよりも小さかったことを識別し得、ドロップされたＣＢの再送信のための最初の冗長バージョン（たとえば、ＲＶＩＤ＝０）を要求し得る。そのような技法は、再符号化または再レートマッチングを必要とすることなしにアップリンク送信に比較的単純な修正を与え得る。
【００８４】
[0095]第３のセットの例では、上述のように、ＵＥは、実際の利用可能なリソースが与えられれば、ＴＢＧサイズを再計算し得る。そのような技法は、割り振られたアップリンクリソースの時間領域と周波数領域の両方損失とともに動作し得る。いくつかの例では、オリジナルリソース割振りが新しいＴＢを送信するために使用され得ることをＮＤＩの初期値が示したが、より少ないアップリンクリソースが実際に利用可能である場合、再計算されたＴＢＧサイズ
【００８５】
【数２】
0006567759.tif 000004
【００８６】
（以下では、数２を「Ｌ＾」と記す）が最初に計算されたＴＢＧサイズＬ’よりも小さいことになる。いくつかの例では、Ｌ＾≦Ｌ’である場合、新しいＴＢは、適合されないことがあり、単にドロップされ得る。Ｌ＾＞Ｌ’である場合、新しいＴＢが、依然として送信されるが、最初に決定された新しいＴＢサイズよりも小さくなり得る。そのような場合、ＵＥは、Ｌ−Ｌ’の代わりに、単にサイズＬ＾−Ｌ’の新しいＴＢを追加し得る。Ｌ＾がＬよりもわずかしか大きくない場合、いくつかの例では、しきい値が与えられ得、Ｌ＾−Ｌ’がそのしきい値よりも大きいとき、ＵＥは新しいＴＢを追加し得る。新しいＴＢを送信するためにオリジナルリソース割振りを使用すべきでなかったことをＮＤＩの初期値が示した場合、第１のセットの例、第２のセットの例、またはそれらの組合せにおいて説明した技法が使用され得る。
【００８７】
[0096]図８に、本開示の様々な態様による、複数のトランスポートブロック送信のためのコードブロック分割およびレートマッチングのためのプロセスフロー８００の一例を示す。プロセスフロー８００は、図１〜図２を参照しながら説明したＵＥ１１５および基地局１０５の例であり得るＵＥ１１５−ｂと基地局１０５−ｂとを含み得る。この例では、基地局１０５−ｂは、ＵＥ１１５−ｂにＴＢＧ０  ８０５を送信し得、これは、上記で説明したような１つまたは複数のＴＢからのＣＢを含み得る。ＵＥ１１５−ｂは、送信されたＣＢのためのＡＣＫ／ＮＡＣＫを示すために基地局１０５−ｂにＴＢＧ０フィードバック８１０を送信し得る。基地局１０５−ｂは、次いで、ブロック８１５に示すように、再送信され得るＣＢを決定し得る。そのような決定は、上記で説明したように、再送信を有し得る前のＴＢの数の決定と再送信されるべきであるＣＢの識別とを含み得る。基地局１０５−ｂは、次いで、ブロック８２０に示すように、ＵＥ１１５−ｂへのＴＢＧ１の送信のためのトランスポートブロックグループサイズを識別し得る。ブロック８２５において、基地局１０５−ｂは、再送信されるべきＣＢの再送信サイズを決定し得る。基地局１０５−ｂは、ブロック８３０において、ＴＢＧ１中でＵＥ１１５−ｂに新しいＴＢを送信すべきかどうかを決定し得る。そのような決定は、上記で説明したように、ＴＢＧ１のＴＢＧサイズと再送信サイズとのうちの１つまたは複数に基づき得る。基地局１０５−ｂは、ＵＥ１１５−ｂにＴＢＧ１  ８３５を送信し得、ＵＥ１１５−ｂは、基地局１０５−ｂにＴＢＧ１フィードバック８４０を送信して戻し得、プロセスが繰り返され得る。
【００８８】
[0097]いくつかの例では、上記で説明したように、基地局１０５−ｂは、ＴＢＧ０またはＴＢＧ１の送信の間にトランスポートブロックグループ中で送信される２つ以上の異なるトランスポートブロックからのブロックをコーディングし得る。例では、基地局１０５−ｂは、ＴＢＧ１のＴＢＧサイズが再送信サイズを上回るとき、ＵＥ１１５−ｂに新しいＴＢを送信することを決定し得る。新しいＴＢのサイズは、ＴＢＧ１のサイズと再送信サイズとの間の差に基づき得る。再送信サイズの決定は、上記で説明したように同様に、再送信されるべきである１つまたは複数のＣＢのＣＢサイズをアグリゲートすることによって行われ得る。いくつかの例では、１つまたは複数の前のトランスポートブロックからの１つまたは複数のコードブロックが、ＵＥ１１５−ｂに再送信されるべきであると決定することは、ＮＡＣＫが１つまたは複数のＣＢに関連付けられると決定することを含み得る。いくつかの例では、ＴＢＧ１のサイズは、送信のために割り当てられたワイヤレスリソース中のリソースブロックの数、送信のために割り当てられたワイヤレスリソース中の送信時間間隔の数、送信のために使用される空間多重化レイヤの数、または送信のために使用される変調およびコーディングスキームのうちの１つまたは複数に基づいて決定される。
【００８９】
[0098]また、上記で説明したように、基地局１０５−ｂは、いくつかの例では、送信の間に新しいＴＢが送信されるべきであるのかどうかのインジケーションを送信し得る。インジケーションはまた、いくつかの例では、送信の間に再送信されるＣＢを有し得る連続する前のＴＢの数の識別情報を含み得る。基地局１０５−ｂとＵＥ１１５−ｂとはそれぞれ、送信の間に再送信されるＣＢを有し得る連続する前のＴＢの数より前にあるＴＢに関連する再送信されるべきＣＢを破棄し得る。いくつかの例では、基地局１０５−ｂは、ＴＢＧサイズと再送信サイズとの間の差が、送信の間にＵＥ１１５−ｂに再送信されるべき１つまたは複数の前のＴＢのＣＢのみを含むことをサポートすると決定し得る。
【００９０】
[0099]また、上記で説明したように、基地局１０５−ｂは、ＴＢＧ１  ８３５の送信中に含まれるべきコード化ビットの数を決定し得る。基地局１０５−ｂは、送信中にＵＥ１１５−ｂに再送信されるべき１つまたは複数の前のＴＢのＣＢにコード化ビットの数を比例的に割り当て得る。いくつかの例では、前のＴＢは、２つ以上の前のＴＢを含み、前のＴＢのための再送信されるべきＣＢは、異なるＣＢサイズを有し得る。また、上記で説明したように、基地局１０５−ｂは、新しいＴＢを新しいＴＢのためのＣＢのセットに分割し得る。いくつかの例では、新しいＴＢのための複数のＣＢのサイズは、ＴＢＧサイズと再送信サイズとの間の差の実質的にすべてを占有する新しいＴＢのための均一なＣＢサイズを与えるように選択され得る。いくつかの例では、ＴＢＧサイズと再送信サイズとの間の差が、送信中に新しいＴＢを含むことをサポートすると決定することは、ＴＢＧサイズと再送信サイズとの間の差がしきい値を上回ると決定することを含み得る。いくつかの例では、しきい値は、再送信されるべきコードブロックのためのＣＢサイズ、ＴＢＧサイズと再送信サイズとの比率、または送信のためのＭＣＳのうちの１つまたは複数に基づいて決定される。
【００９１】
[0100]基地局１０５−ｂはまた、コード化ビットの数とＵＥ１１５−ｂに再送信されるべき１つまたは複数のＣＢのＣＢサイズと、ＵＥ１１５−ｂに送信されるべき新しいＴＢの１つまたは複数の新しいＣＢのＣＢサイズとを決定し得る。基地局１０５−ｂは、それぞれのＣＢサイズに比例して各ＣＢにコード化ビットの数の部分を比例的に割り当て得る。いくつかの例では、コード化ビットの数は、複数のリソース要素（ＲＥ）中で送信され、各ＲＥのコード化ビットは、同じＣＢに関連付けられ得る（たとえば、ＲＥは異なるＣＢにまたがらないことがある）。
【００９２】
[0101]いくつかの例では、ＵＥ１１５−ｂへの送信は、２つ以上の空間多重化レイヤ上での空間多重化送信であり、各空間多重化レイヤのＭＣＳは、空間多重化レイヤの他方のためのＭＣＳとは無関係に決定される。基地局１０５−ｂは、各空間多重化レイヤのためのＴＢＧサイズを識別し、各空間多重化レイヤのための送信の間にＵＥ１１５−ｂに再送信されるべき１つまたは複数の前のＴＢの任意のＣＢの再送信サイズを決定し得る。再送信されるＣＢを有し得る前のＴＢの数を示すために、または新しいＴＢがＴＢＧ中に含まれるのかどうかを示すためにインジケーションがシグナリングされる例では、インジケーションは、１ビットのインジケータを含み得、新しいＴＢは、ＴＢＧサイズよりも小さい再送信サイズを有する各空間多重化レイヤ上で送信され得る。いくつかの例では、インジケーションは、新しいＴＢが各空間多重化レイヤ上で送信されるのかどうかのインジケーションを与えるマルチビットインジケータであり得る。さらなる例では、インジケーションは、１ビットのインジケータを含み得、新しいＴＢは、ＴＢＧサイズが少なくともしきい値だけそれぞれの空間多重化レイヤのための再送信サイズを上回る各空間多重化レイヤ上で送信され得る。上記で説明したように、ＣＢ再送信は、オリジナルコードブロック送信と同じ空間多重化レイヤ中にとどまり得る。
【００９３】
[0102]上記で説明したいくつかの例は、基地局がＴＢＧサイズを決定することと、ＣＢ分割およびレートマッチングを実行することとに関して説明したが、そのような技法が、アップリンクリソースを使用して基地局にデータを送信すべきであるＵＥに適用され得ることを理解されたい。たとえば、様々な例では、ＵＥは、ＵＬ送信のためのＴＢＧサイズを識別し得、送信の間に基地局に再送信されるべき１つまたは複数の前のＴＢの任意のＣＢの再送信サイズを決定し得、ＴＢＧサイズと再送信サイズとに基づいて送信の間に基地局に新しいＴＢを送信すべきかどうかを決定し得る。ＵＥはまた、上記で説明したように、前のＴＢのＣＢをドロップすることと、ＴＢＧに新しいＴＢを追加することと、ＮｕｍＴＢおよびＮＤＩ、レートマッチング、分割、ならびに空間多重化のインジケーションをシグナリングすることとのための技法を実行し得る。
【００９４】
[0103]図９に、本開示の様々な態様による、複数のトランスポートブロック送信のためのコードブロック分割およびレートマッチングのためのプロセスフロー９００の別の例を示す。プロセスフロー９００は、図１〜図２または図８を参照しながら説明したＵＥ１１５および基地局１０５の例であり得るＵＥ１１５−ｃと基地局１０５−ｃとを含み得る。
【００９５】
[0104]最初に、ブロック９０５において、基地局１０５−ｃは、アップリンク送信を送信するためにＵＥ１１５−ｃのためのアップリンク（ＵＬ）リソース許可を決定する。基地局１０５−ｃは、ＵＥ１１５−ｃにＵＬリソース許可９１０を送信し得、これは、アップリンク送信のためのアップリンク送信リソースを識別し得る。ＵＥ１１５−ｃは、ブロック９１５に示すように、リソース許可に基づいて、アップリンク送信中に送信されるべきＴＢＧのためのＴＢＧサイズを決定し得る。ＴＢＧは、上記で説明したように同様に、アップリンク送信中に送信されるべき２つ以上のＴＢからのＣＢのセットを含み得る。ブロック９２０において、ＵＥ１１５−ｃは、アップリンク送信リソースのためのワイヤレス通信チャネルの利用可能性を決定するためにアップリンク送信のために使用されるべきワイヤレス通信チャネルに対してリッスンビフォアトーク（ＬＢＴ）プロシージャを実行し得る。ブロック９２５において、ＵＬリソース許可の１つまたは複数の部分についてＬＢＴプロシージャが失敗した場合、ＵＥ１１５−ｃは、ＵＬ送信を修正し得る。いくつかの例では、ＵＥ１１５−ｃは、ワイヤレス通信チャネルがＵＬ送信リソースの一部分に対して利用不可能であり得ることを示すＬＢＴプロシージャに基づいてＴＢＧサイズ、符号化レート、またはアップリンク送信のためのＣＢの量のうちの１つまたは複数を修正し得る。ＵＥ１１５−ｃは、次いで、基地局１０５−ｃにＴＢＧ送信９３０を送信し得る。いくつかの例では、ＴＢＧ中で送信されるべきＣＢは、少なくとも第１のＴＢからの第１のＣＢと第２のＴＢからの第２のＣＢとを含み得、第１のＣＢと第２のＣＢとのＣＢサイズは異なり得る。いくつかの例では、ＵＬ送信リソースは、ＵＬ送信のための２つ以上のＴＴＩを含み得、ＬＢＴプロシージャは、第１のＴＴＩに対して実行される。第１のＴＴＩのリソースについてＬＢＴプロシージャが成功した場合、これは、ＵＬ許可のＵＬリソースのすべてがＵＬ送信のために使用可能になることを示し得る。ＬＢＴプロシージャが第１のＴＴＩについて失敗した場合、ＬＢＴプロシージャは、第２のＴＴＩに対して実行され得、利用可能なＵＬリソースの量は、ＴＴＩに基づいて決定され得、ここで、ＬＢＴプロシージャは、最初に成功した。
【００９６】
[0105]いくつかの例では、ＵＬ送信リソースは、ＵＬ送信のための２つ以上の周波数リソースを含み得、ＬＢＴプロシージャは、周波数リソースの各々に対して実行され得る。そのような例では、修正することは、さらに、ワイヤレス通信チャネルがＵＬ送信のための周波数リソースのうちの１つまたは複数のために利用不可能であることを示すＬＢＴプロシージャに基づいて実行され得る。２つ以上の周波数リソースは、たとえば、２つ以上のワイヤレス通信チャネル上でのインターレースを含み得る。
【００９７】
[0106]ＵＥ１１５−ｃは、いくつかの例では、利用可能なリソース中でのＣＢのセットの送信をサポートするためにコーディングレートを修正し得る。いくつかの例では、コーディングレートは、それぞれのＣＢのサイズに基づいて複数のＣＢに変調シンボルを割り振るように修正される。いくつかの例では、ＵＥ１１５−ｃは、利用可能なリソース中で送信されるべきＣＢのセットの一部分を識別し得、複数のＣＢのコード化ビットを利用可能なリソースに連続的にパックし得、利用可能なリソースのすべてが占有された後に残りのコード化ビットをドロップし得る。ＵＥ１１５−ｃは、他の例では、利用可能なリソースに基づいてＴＢグループサイズを修正し得、修正されたＴＢグループサイズに基づいてＣＢのうちの１つまたは複数をドロップし得る。いくつかの例では、ＴＢグループサイズを修正することは、ＣＢのうちの１つまたは複数がＵＬ送信からドロップされるべきであると決定することに基づき得る。いくつかの例では、ＣＢのセットは、１つまたは複数の前のＴＢからの再送信ＣＢと新しいＴＢからの新しいＣＢとを含み得、ＵＬ送信を修正することは、修正されたＴＢグループサイズに基づいて新しいＣＢのうちの１つまたは複数を再生成することを含み得る。
【００９８】
[0107]図１０に、本開示の様々な態様による、複数のトランスポートブロック送信のためのコードブロック分割およびレートマッチングのために構成されたワイヤレスデバイス１０００のブロック図を示す。ワイヤレスデバイス１０００は、図１〜図９を参照しながら説明したＵＥ１１５の態様の一例であり得る。ワイヤレスデバイス１０００は、受信機１００５、ワイヤレス通信管理モジュール１０１０、または送信機１０１５を含み得る。ワイヤレスデバイス１０００はプロセッサをも含み得る。これらの構成要素の各々は互いに通信していることがある。
【００９９】
[0108]受信機１００５は、パケット、ユーザデータ、または様々な情報チャネルに関連する制御情報（たとえば、制御チャネル、データチャネル、および複数のトランスポートブロック送信のためのコードブロック分割およびレートマッチングに関係する情報など）などの情報を受信し得る。情報は、ワイヤレス通信管理モジュール１０１０に、およびワイヤレスデバイス１０００の他の構成要素に受け渡され得る。
【０１００】
[0109]ワイヤレス通信管理モジュール１０１０は、いくつかの例では、受信機への送信のためのトランスポートブロックグループサイズを識別することと、送信の間に受信機に再送信されるべき１つまたは複数の前のトランスポートブロックの任意のコードブロックの再送信サイズを決定することと、トランスポートブロックグループサイズと再送信サイズとに基づいて送信の間に受信機に新しいトランスポートブロックを送信すべきかどうかを決定することとを行い得る。
【０１０１】
[0110]ワイヤレス通信管理モジュール１０１０は、さらなる例では、アップリンク送信のためのアップリンク送信リソースを識別し得るＵＬリソース許可を受信し得、リソース許可に基づいて、アップリンク送信中に送信されるべきＴＢＧのためのＴＢＧサイズを決定し得、アップリンク送信のために使用されるべきワイヤレス通信チャネルに対してＬＢＴプロシージャを実行し得、ＵＬリソース許可の１つまたは複数の部分についてＬＢＴプロシージャが失敗した場合、ＵＬ送信を修正し得る。いくつかの例では、ワイヤレス通信管理モジュール１０１０は、ＴＢＧサイズ、符号化レート、またはアップリンク送信のためのＣＢの量のうちの１つまたは複数を修正し得る。
【０１０２】
[0111]送信機１０１５は、ワイヤレスデバイス１０００の他の構成要素から受信された信号を送信し得る。いくつかの例では、送信機１０１５は、トランシーバモジュール中で受信機１００５とコロケートされ得る。送信機１０１５は、単一のアンテナを含み得るか、または複数のアンテナを含み得る。
【０１０３】
[0112]図１１に、本開示の様々な態様による、複数のトランスポートブロック送信のためのコードブロック分割およびレートマッチングのためのワイヤレスデバイス１１００のブロック図を示す。ワイヤレスデバイス１１００は、図１〜図１０を参照しながら説明したワイヤレスデバイス１０００またはＵＥ１１５の態様の一例であり得る。ワイヤレスデバイス１１００は、受信機１００５−ａ、ワイヤレス通信管理モジュール１０１０−ａ、または送信機１０１５−ａを含み得る。ワイヤレスデバイス１１００はまた、プロセッサを含み得る。これらの構成要素の各々は互いに通信していることがある。ワイヤレス通信管理モジュール１０１０−ａはまた、ＵＥ  ＴＢＧサイズ決定モジュール１１０５、ＵＥ再送信決定モジュール１１１０、ＵＥ  ＣＢ分割モジュール１１１５を含み得る。
【０１０４】
[0113]ＵＥ  ＴＢＧサイズ決定モジュール１１０５は、図２〜図９を参照しながら説明したように、受信機への送信のためのトランスポートブロックグループサイズを識別し得る。いくつかの例では、トランスポートブロックグループサイズは、送信のために割り当てられたワイヤレスリソース中のリソースブロックの数、送信のために割り当てられたワイヤレスリソース中の送信時間間隔の数、送信のために使用される空間多重化レイヤの数、または送信のために使用される変調およびコーディングスキームのうちの１つまたは複数に基づいて決定される。ＵＥ  ＴＢＧサイズ決定モジュール１１０５はまた、送信中に含まれるべきコード化ビットの数を決定し得る。いくつかの例では、前のトランスポートブロックは、２つ以上の前のトランスポートブロックを含み、前のトランスポートブロックのための再送信されるべきコードブロックは、異なるコードブロックサイズを有する。ＵＥ  ＴＢＧサイズ決定モジュール１１０５はまた、リソース許可に基づいて、アップリンク送信中に送信されるべきトランスポートブロックグループのためのトランスポートブロックグループサイズを決定すること、トランスポートブロックグループは、アップリンク送信中に送信されるべき２つ以上のトランスポートブロックからの複数のコードブロックを含む、を行い得る。いくつかの例では、複数のコードブロックは、第１のトランスポートブロックからの第１のコードブロックと第２のトランスポートブロックからの第２のコードブロックとを少なくとも備え、第１のコードブロックと第２のコードブロックとのコードブロックサイズが異なる。
【０１０５】
[0114]ＵＥ再送信決定モジュール１１１０は、図２〜図９を参照しながら説明したように、送信中に受信機に再送信されるべき１つまたは複数の前のトランスポートブロックの任意のコードブロックの再送信サイズを決定し得る。いくつかの例では、再送信サイズを決定することは、受信機に送信された１つまたは複数の前のトランスポートブロックからの１つまたは複数のコードブロックが、受信機に再送信されるべきであると決定することを含み得る。ＵＥ再送信決定モジュール１１１０はまた、再送信されるべきである１つまたは複数のコードブロックのコードブロックサイズをアグリゲートし得る。ＵＥ再送信決定モジュール１１１０はまた、送信の間に再送信されるコードブロックを有し得る連続する前のトランスポートブロックの数を識別し得、送信の間に再送信されるコードブロックを有し得る連続する前のトランスポートブロックの数より前のトランスポートブロックに関連する再送信されるべきコードブロックを破棄し得る。いくつかの例では、再送信サイズは、再送信されるべきコードブロックのコードブロックサイズの和に基づいて決定され得る。ＵＥ再送信決定モジュール１１１０はまた、トランスポートブロックグループサイズと再送信サイズとの間の差が、送信中に受信機に再送信されるべき１つまたは複数の前のトランスポートブロックのコードブロックのみを含むことをサポートすると決定し得る。いくつかの例では、送信の間に再送信されるコードブロックを有し得る連続する前のトランスポートブロックの数を識別することは、送信の間に再送信されるコードブロックを有し得る連続する前のトランスポートブロックの数のシグナリングされたインジケーションに基づき得る。
【０１０６】
[0115]ＵＥ  ＣＢ分割モジュール１１１５は、図２〜図９を参照しながら説明したように、トランスポートブロックグループサイズと再送信サイズとに基づいて送信の間に受信機に新しいトランスポートブロックを送信すべきかどうかを決定し得る。ＵＥ  ＣＢ分割モジュール１１１５はまた、送信の間にトランスポートブロックグループ中で送信される２つ以上の異なるトランスポートブロックからのブロックをコーディングし得る。いくつかの例としては、ＵＥ  ＣＢ分割モジュール１１１５はまた、トランスポートブロックグループサイズが再送信サイズを上回るとき、受信機に新しいトランスポートブロックを送信することを決定し得る。ＵＥ  ＣＢ分割モジュール１１１５はまた、トランスポートブロックグループサイズと再送信サイズとの間の差が、送信中に新しいトランスポートブロックを含むことをサポートすると決定し得る。いくつかの例では、新しいトランスポートブロックの新しいトランスポートブロックサイズは、トランスポートブロックグループサイズと再送信サイズとの間の差に基づいて決定され得る。いくつかの例では、トランスポートブロックグループサイズと再送信サイズとの間の差が、送信中に新しいトランスポートブロックを含むことをサポートすると決定することは、トランスポートブロックグループサイズと再送信サイズとの間の差がしきい値を上回るという決定に基づき得る。いくつかの例では、しきい値は、再送信されるべきコードブロックのためのコードブロックサイズ、トランスポートブロックグループサイズと再送信サイズとの比率、または送信のための変調およびコーディングスキームのうちの１つまたは複数に基づいて決定され得る。
【０１０７】
[0116]受信機１００５−ａは、ワイヤレス通信管理モジュール１０１０−ａに、およびワイヤレスデバイス１１００の他の構成要素に受け渡され得る情報を受信し得る。ワイヤレス通信管理モジュール１０１０−ａは、図１０を参照しながら説明した動作を実行し得る。送信機１０１５−ａは、ワイヤレスデバイス１１００の他の構成要素から受信された信号を送信し得る。
【０１０８】
[0117]図１２に、本開示の様々な態様による、複数のトランスポートブロック送信のためのコードブロック分割およびレートマッチングのためのワイヤレスデバイス１０００またはワイヤレスデバイス１１００の構成要素であり得るワイヤレス通信管理モジュール１０１０−ｂのブロック図１２００を示す。ワイヤレス通信管理モジュール１０１０−ｂは、図１０〜図１１を参照しながら説明したワイヤレス通信管理モジュール１０１０の態様の一例であり得る。ワイヤレス通信管理モジュール１０１０−ｂは、アンドアデフォルト１１０５−ａを含み得る。これらのモジュールの各々は、図１１を参照しながら本明細書で説明した機能を実行し得る。ワイヤレス通信管理モジュール１０１０−ｂは、ＵＥ  ＴＢＧサイズモジュール１１０５−ａ、ＵＥ再送信決定モジュール１１１０−ａ、ＵＥ  ＣＢ分割モジュール１１１５−ａを含み得る。ワイヤレス通信管理モジュール１０１０−ｂはまた、ＵＥリソース許可モジュール１２２０と、ＵＥ  ＬＢＴモジュール１２２５と、アップリンク修正モジュール１２３０と、ＵＥ空間多重化モジュール１２３５とを含み得る。
【０１０９】
[0118]ＵＥリソース許可モジュール１２２０は、図２〜図９を参照しながら説明したように、アップリンク送信のためのリソース許可を受信すること、リソース許可は、アップリンク送信のためのアップリンク送信リソースを識別する、を行い得る。いくつかの例では、ＵＬ送信リソースは、２つ以上のワイヤレス通信チャネル上でのインターレースを含み得る２つ以上の周波数リソース、２つ以上の時間リソース、またはそれらの組合せを含み得る。
【０１１０】
[0119]ＵＥ  ＬＢＴモジュール１２２５は、図２〜図９を参照しながら説明したように、アップリンク送信リソースのためのワイヤレス通信チャネルの利用可能性を決定するためにアップリンク送信のために使用されるべきワイヤレス通信チャネルに対してリッスンビフォアトーク（ＬＢＴ）プロシージャを実行し得る。いくつかの例では、アップリンク送信リソースは、アップリンク送信のための２つ以上の送信時間間隔（ＴＴＩ）を含み得、ＬＢＴプロシージャは、第１のＴＴＩに対して実行され得、第１のＴＴＩについてＬＢＴプロシージャが失敗したときにＬＢＴプロシージャは第２のＴＴＩに対して実行され得る。アップリンク送信リソースがアップリンク送信のための２つ以上の周波数リソースを備える例では、ＬＢＴプロシージャは、周波数リソースに対して実行され得る。
【０１１１】
[0120]アップリンク修正モジュール１２３０は、図２〜図９を参照しながら説明したように、ワイヤレス通信チャネルがアップリンク送信リソースの一部分に対して利用不可能であることを示すＬＢＴプロシージャに基づいてトランスポートブロックグループサイズ、符号化レート、またはアップリンク送信のためのコードブロックの量のうちの１つまたは複数を修正し得る。いくつかの例では、修正することは、さらに、第１のＴＴＩについての失敗したＬＢＴプロシージャに基づいて実行され得る。いくつかの例では、修正することは、さらに、ワイヤレス通信チャネルがアップリンク送信のための１つまたは複数の周波数リソースのために利用不可能であり得ることを示すＬＢＴプロシージャに基づいて実行され得る。いくつかの例では、修正することは、アップリンク送信のための利用可能なリソースを決定することと、利用可能なリソース中での複数のコードブロックの送信をサポートするためにコーディングレートを修正することとを含み得る。いくつかの例では、修正することは、アップリンク送信のための利用可能なリソースを決定することと、利用可能なリソース中で送信されるべき複数のコードブロックの一部分を識別することとを含み得る。いくつかの例では、利用可能なリソース中で送信されるべきコードブロックの一部分は、利用可能なリソースにコード化ビットとして連続的にパックされ得る。アップリンク修正モジュール１２３０はまた、利用可能なリソースのすべてが占有された後に残りのコード化ビットをドロップし得る。いくつかの例では、修正することは、アップリンク送信のための利用可能なリソースを決定することと、利用可能なリソースに基づいてトランスポートブロックグループサイズを修正することとを含み得る。アップリンク修正モジュール１２３０はまた、修正されたトランスポートブロックグループサイズに基づいてコードブロックのうちの１つまたは複数をドロップし得る。いくつかの例では、複数のコードブロックは、１つまたは複数の前のトランスポートブロックからの再送信コードブロックと新しいトランスポートブロックからの新しいコードブロックとを備え、新しいコードブロックのうちの１つまたは複数は、修正されたトランスポートブロックグループサイズに基づいて再生成され得る。
【０１１２】
[0121]空間多重化モジュール１２２５は、図２〜図９を参照しながら説明したように、受信機への送信が、２つ以上の空間多重化レイヤ上での空間多重化送信であり得るように構成され得、ここにおいて、各空間多重化レイヤの変調およびコーディングスキーム（ＭＣＳ）は、空間多重化レイヤの他方のためのＭＣＳとは無関係に決定され得る。空間多重化モジュール１２２５はまた、各空間多重化レイヤのためのトランスポートブロックグループサイズを識別し得る。いくつかの例では、再送信サイズを決定することは、各空間多重化レイヤについて送信の間に受信機に再送信されるべき１つまたは複数の前のトランスポートブロックの任意のコードブロックの再送信サイズを決定することを含み得る。コードブロック再送信は、様々な例によれば、オリジナルコードブロック送信と同じ空間多重化レイヤ中にとどまり得る。
【０１１３】
[0122]図１３に、本開示の様々な態様による、複数のトランスポートブロック送信のためのコードブロック分割およびレートマッチングのために構成されたＵＥ１１５を含むシステム１３００の図を示す。システム１３００は、図１、図２および図１０〜図１２を参照しながら説明したワイヤレスデバイス１０００、ワイヤレスデバイス１１００、またはＵＥ１１５の一例であり得るＵＥ１１５−ｄを含み得る。ＵＥ１１５−ｄは、図１０〜図１２を参照しながら説明したワイヤレス通信管理モジュール１０１０の一例であり得るワイヤレス通信管理モジュール１３１０を含み得る。ＵＥ１１５−ｄはまた、図１〜図９に関して上記で説明したように、ＨＡＲＱ  ＡＣＫ／ＮＡＣＫフィードバックなどのフィードバック機能を実行し得るフィードバック管理モジュール１３２５を含み得る。ＵＥ１１５−ｄはまた、通信を送信するための構成要素と通信を受信するための構成要素とを含む、双方向音声およびデータ通信のための構成要素を含み得る。たとえば、ＵＥ１１５−ｄは、基地局１０５−ｄまたはＵＥ１１５−ｅと双方向に通信し得る。
【０１１４】
[0123]ＵＥ１１５−ｄは、プロセッサ１３０５と、（ソフトウェア（ＳＷ）を含む）メモリ１３１５  １３２０と、トランシーバ１３３５と、１つまたは複数のアンテナ１３４０とをも含み得、それらの各々は、（たとえば、バス１３４５を介して）互いと直接または間接的に通信し得る。トランシーバ１３３５は、上記で説明したように、アンテナ１３４０あるいはワイヤードリンクまたはワイヤレスリンクを介して、１つまたは複数のネットワークと双方向に通信し得る。たとえば、トランシーバ１３３５は、基地局１０５または別のＵＥ１１５と双方向に通信し得る。トランシーバ１３３５は、パケットを変調し、変調されたパケットを送信のためにアンテナ１３４０に与え、アンテナ１３４０から受信されたパケットを復調するためのモデムを含み得る。ＵＥ１１５−ｄは、単一のアンテナ１３４０を含み得るが、ＵＥ１１５−ｄはまた、複数のワイヤレス送信を同時に送信または受信することが可能な複数のアンテナ１３４０を有し得る。
【０１１５】
[0124]メモリ１３１５は、ランダムアクセスメモリ（ＲＡＭ）と、読取り専用メモリ（ＲＯＭ）とを含み得る。メモリ１３１５は、実行されたとき、プロセッサ１３０５に本明細書で説明する様々な機能（たとえば、複数のトランスポートブロック送信のためのコードブロック分割およびレートマッチングなど）を実行させる命令を含むコンピュータ可読、コンピュータ実行可能ソフトウェア／ファームウェアコード１３２０を記憶し得る。代替的に、ソフトウェア／ファームウェアコード１３２０は、プロセッサ１３０５によって直接的に実行可能でないことがあるが、（たとえば、コンパイルされ実行されたとき）コンピュータに本明細書で説明する機能を実行させ得る。プロセッサ１３０５は、インテリジェントハードウェアデバイス、（たとえば、中央処理ユニット（ＣＰＵ）、マイクロコントローラ、特定用途向け集積回路（ＡＳＩＣ）など）を含み得る。
【０１１６】
[0125]図１４に、本開示の様々な態様による、複数のトランスポートブロック送信のためのコードブロック分割およびレートマッチングのために構成されたワイヤレスデバイス１４００のブロック図を示す。ワイヤレスデバイス１４００は、図１〜図１３を参照しながら説明した基地局１０５の態様の一例であり得る。ワイヤレスデバイス１４００は、受信機１４０５、基地局ワイヤレス通信管理モジュール１４１０、または送信機１４１５を含み得る。ワイヤレスデバイス１４００はプロセッサをも含み得る。これらの構成要素の各々は互いに通信していることがある。
【０１１７】
[0126]受信機１４０５は、パケット、ユーザデータ、または様々な情報チャネルに関連する制御情報（たとえば、制御チャネル、データチャネル、および複数のトランスポートブロック送信のためのコードブロック分割およびレートマッチングに関係する情報など）などの情報を受信し得る。情報は、基地局ワイヤレス通信管理モジュール１４１０に、およびワイヤレスデバイス１４００の他の構成要素に受け渡され得る。
【０１１８】
[0127]基地局ワイヤレス通信管理モジュール１４１０は、送信のためのトランスポートブロックグループサイズを識別することと、２つ以上のトランスポートブロックからのコードブロックが送信中に含まれるべきかどうかのインジケーションを受信することと、トランスポートブロックグループサイズとインジケーションとに基づいて２つ以上のトランスポートブロックからのコードブロックのためのコードブロックサイズを決定することとを行い得る。
【０１１９】
[0128]送信機１４１５は、ワイヤレスデバイス１４００の他の構成要素から受信された信号を送信し得る。いくつかの例では、送信機１４１５は、トランシーバモジュール中で受信機１４０５とコロケートされ得る。送信機１４１５は、単一のアンテナを含み得るか、または複数のアンテナを含み得る。
【０１２０】
[0129]図１５に、本開示の様々な態様による、複数のトランスポートブロック送信のためのコードブロック分割およびレートマッチングのためのワイヤレスデバイス１５００のブロック図を示す。ワイヤレスデバイス１５００は、図１〜図１４を参照しながら説明したワイヤレスデバイス１４００または基地局１０５の態様の一例であり得る。ワイヤレスデバイス１５００は、受信機１４０５−ａ、基地局ワイヤレス通信管理モジュール１４１０−ａ、または送信機１４１５−ａを含み得る。ワイヤレスデバイス１５００はプロセッサをも含み得る。これらの構成要素の各々は互いに通信していることがある。基地局ワイヤレス通信管理モジュール１４１０−ａはまた、トランスポートブロックグループサイズモジュール１５０５、再送信決定モジュール１５１０、新しいトランスポートブロック決定モジュール１５１５を含み得る。
【０１２１】
[0130]受信機１４０５−ａは、基地局ワイヤレス通信管理モジュール１４１０−ａに、およびワイヤレスデバイス１５００の他の構成要素に受け渡され得る情報を受信し得る。基地局ワイヤレス通信管理モジュール１４１０−ａは、図１４を参照しながら説明した動作を実行し得る。送信機１４１５−ａは、ワイヤレスデバイス１５００の他の構成要素から受信された信号を送信し得る。
【０１２２】
[0131]トランスポートブロックグループサイズモジュール１５０５は、図２〜図９を参照しながら説明したように、受信機への送信のためのトランスポートブロックグループサイズを識別し得る。いくつかの例では、トランスポートブロックグループサイズは、送信のために割り当てられたワイヤレスリソース中のリソースブロックの数、送信のために割り当てられたワイヤレスリソース中の送信時間間隔の数、送信のために使用される空間多重化レイヤの数、または送信のために使用される変調およびコーディングスキームのうちの１つまたは複数に基づいて決定し得る。トランスポートブロックグループサイズモジュール１５０５はまた、送信中に含まれるべきコード化ビットの数を決定し得る。いくつかの例では、前のトランスポートブロックは、２つ以上の前のトランスポートブロックを含み、前のトランスポートブロックのための再送信されるべきコードブロックは、異なるコードブロックサイズを有し得る。
【０１２３】
[0132]再送信決定モジュール１５１０は、図２〜図９を参照しながら説明したように、送信の間に受信機に再送信されるべき１つまたは複数の前のトランスポートブロックの任意のコードブロックの再送信サイズを決定し得る。いくつかの例では、再送信サイズを決定することは、受信機に送信された１つまたは複数の前のトランスポートブロックからの１つまたは複数のコードブロックが、受信機に再送信されるべきであると決定することを含み得る。再送信決定モジュール１５１０はまた、再送信されるべきである１つまたは複数のコードブロックのコードブロックサイズをアグリゲートし得る。再送信決定モジュール１５１０はまた、送信の間に再送信されるコードブロックを有し得る連続する前のトランスポートブロックの数を識別し得、送信の間に再送信されるコードブロックを有し得る連続する前のトランスポートブロックの数より前のトランスポートブロックに関連する再送信されるべきコードブロックを破棄し得る。いくつかの例では、再送信サイズは、再送信されるべきコードブロックのコードブロックサイズの和に基づいて決定され得る。再送信決定モジュール１５１０はまた、いくつかの例では、トランスポートブロックグループサイズと再送信サイズとの間の差が、送信中に受信機に再送信されるべき１つまたは複数の前のトランスポートブロックのコードブロックのみを含むことをサポートすると決定し得る。再送信決定モジュール１５１０はまた、いくつかの例では、２つ以上のトランスポートブロックからのコードブロックが送信中に含まれるべきかどうかのインジケーションを受信し得る。
【０１２４】
[0133]新しいトランスポートブロック決定モジュール１５１５は、図２〜図９を参照しながら説明したように、トランスポートブロックグループサイズと再送信サイズとに基づいて送信の間に受信機に新しいトランスポートブロックを送信すべきかどうかを決定し得る。新しいトランスポートブロック決定モジュール１５１５は、いくつかの例では、トランスポートブロックグループサイズが再送信サイズを上回るとき、受信機に新しいトランスポートブロックを送信することを決定し得る。新しいトランスポートブロック決定モジュール１５１５は、トランスポートブロックグループサイズと再送信サイズとの間の差に基づいて新しいトランスポートブロックのサイズを決定し得る。新しいトランスポートブロック決定モジュール１５１５はまた、トランスポートブロックグループサイズと再送信サイズとの間の差が、送信中に新しいトランスポートブロックを含むことをサポートすると決定し得る。いくつかの例では、トランスポートブロックグループサイズと再送信サイズとの間の差が、送信中に新しいトランスポートブロックを含むことをサポートすると決定することは、トランスポートブロックグループサイズと再送信サイズとの間の差がしきい値を上回ると決定することを含み得る。いくつかの例では、しきい値は、再送信されるべきコードブロックのためのコードブロックサイズ、トランスポートブロックグループサイズと再送信サイズとの比率、または送信のための変調およびコーディングスキームのうちの１つまたは複数に基づいて決定され得る。
【０１２５】
[0134]図１６に、本開示の様々な態様による、複数のトランスポートブロック送信のためのコードブロック分割およびレートマッチングのためのワイヤレスデバイス１４００またはワイヤレスデバイス１５００の構成要素であり得る基地局ワイヤレス通信管理モジュール１４１０−ｂのブロック図１６００を示す。基地局ワイヤレス通信管理モジュール１４１０−ｂは、図１４〜図１５を参照しながら説明した基地局ワイヤレス通信管理モジュール１４１０の態様の一例であり得る。基地局ワイヤレス通信管理モジュール１４１０−ｂは、トランスポートブロックグループサイズモジュール１５０５−ａと、再送信決定モジュール１５１０−ａと、新しいトランスポートブロック決定モジュール１５１５−ａとを含み得る。これらのモジュールの各々は、図１５を参照しながら説明した機能を実行し得る。基地局ワイヤレス通信管理モジュール１４１０−ｂはまた、ＨＡＲＱフィードバックモジュール１６０５と、シグナリングモジュール１６１０と、レートマッチングモジュール１６１５と、コードブロック分割モジュール１６２０と、空間多重化モジュール１６２５とを含み得る。
【０１２６】
[0135]ＨＡＲＱフィードバックモジュール１６０５は、図２〜図９を参照しながら説明したように、否定応答（ＮＡＣＫ）が１つまたは複数のコードブロックに関連付けられ得ると決定することを通して、１つまたは複数の前のトランスポートブロックからの１つまたは複数のコードブロックが受信機に再送信されるべきであると決定するように構成され得る。
【０１２７】
[0136]シグナリングモジュール１６１０は、図２〜図９を参照しながら説明したように、新しいトランスポートブロックが送信の間に送信されるべきであるのかどうかのインジケーションを送信し得る。シグナリングモジュール１６１０はまた、送信の間に再送信されるコードブロックを有し得る連続する前のトランスポートブロックの数のインジケーションを送信し得る。いくつかの例では、送信は、複数の空間多重化レイヤを使用して行われ得、新しいトランスポートブロックが送信されるべきであるというインジケーションは、１ビットのインジケータを含み得、新しいトランスポートブロックは、トランスポートブロックグループサイズよりも小さいことがある再送信サイズを有する１つまたは複数の空間多重化レイヤ、送信され得る。いくつかの例では、新しいトランスポートブロックが送信されるべきであるというインジケーションは、新しいトランスポートブロックが複数の空間多重化レイヤの各々の上で送信され得るのかどうかのインジケーションを与えるマルチビットのインジケータを含み得る。いくつかの例では、新しいトランスポートブロックが送信されるべきであるというインジケーションは、１ビットのインジケータを含み得、新しいトランスポートブロックは、トランスポートブロックグループサイズが少なくともしきい値だけそれぞれの空間多重化レイヤのための再送信サイズを上回る各空間多重化レイヤ上で送信され得る。
【０１２８】
[0137]レートマッチングモジュール１６１５は、図２〜図９を参照しながら説明したように、送信中に受信機に送信されるべき１つまたは複数の新しいまたは前のトランスポートブロックのコードブロックに、コード化ビットの数を比例的に割り当て得る。レートマッチングモジュール１６１５はまた、それぞれのコードブロックサイズに比例して各コードブロックにコード化ビットの数の部分を比例的に割り当て得る。
【０１２９】
[0138]コードブロック分割モジュール１６２０は、図２〜図９を参照しながら説明したように、新しいトランスポートブロックを、新しいトランスポートブロックのための複数のコードブロックに分割し得る。いくつかの例では、新しいトランスポートブロックのための複数のコードブロックのサイズは、トランスポートブロックグループサイズと再送信サイズとの間の差の実質的にすべてを占有する新しいトランスポートブロックのための均一なコードブロックサイズを与えるように選択され得る。コードブロック分割モジュール１６２０はまた、送信中に含まれるべきコード化ビットの数を決定することと、受信機に再送信されるべき１つまたは複数のコードブロックと受信機に送信されるべき新しいトランスポートブロックの１つまたは複数の新しいコードブロックとのコードブロックサイズを決定することとを行い得る。いくつかの例では、コード化ビットの数は、複数のリソース要素中で送信され、各リソース要素のコード化ビットは、同じコードブロックに関連付けられ得る。
【０１３０】
[0139]空間多重化モジュール１６２５は、図２〜図９を参照しながら説明したように、受信機への送信が、２つ以上の空間多重化レイヤ上での空間多重化送信であり得るように構成され得、各空間多重化レイヤの変調およびコーディングスキーム（ＭＣＳ）は、空間多重化レイヤの他方のためのＭＣＳとは無関係に決定され得る。空間多重化モジュール１６２５はまた、各空間多重化レイヤのためのトランスポートブロックグループサイズを識別し、各空間多重化レイヤのための送信の間に受信機に再送信されるべき１つまたは複数の前のトランスポートブロックの任意のコードブロックの再送信サイズを決定し得る。コードブロック再送信は、様々な例によれば、オリジナルコードブロック送信と同じ空間多重化レイヤ中にとどまり得る。
【０１３１】
[0140]図１７に、本開示の様々な態様による、複数のトランスポートブロック送信のためのコードブロック分割およびレートマッチングのために構成された基地局１０５を含むシステム１７００の図を示す。システム１７００は、図１、図２および図１４〜図１６を参照しながら説明したワイヤレスデバイス１４００、ワイヤレスデバイス１５００、または基地局１０５の一例であり得る基地局１０５−ｅを含み得る。基地局１０５−ｅは、図１４〜図１６を参照しながら説明した基地局ワイヤレス通信管理モジュール１４１０の一例であり得る基地局ワイヤレス通信管理モジュール１７１０を含み得る。基地局１０５−ｅは、通信を送信するための構成要素と通信を受信するための構成要素とを含む、双方向音声およびデータ通信のための構成要素をも含み得る。たとえば、基地局１０５−ｅは、ＵＥ１１５−ｆまたはＵＥ１１５−ｇと双方向に通信し得る。
【０１３２】
[0141]場合によっては、基地局１０５−ｅは、１つまたは複数のワイヤードバックホールリンクを有し得る。基地局１０５−ｅは、コアネットワーク１３０へのワイヤードバックホールリンク（たとえば、Ｓ１インターフェースなど）を有し得る。基地局１０５−ｅはまた、基地局間バックホールリンク（たとえば、Ｘ２インターフェース）を介して、基地局１０５−ｆおよび基地局１０５−ｇなど、他の基地局１０５と通信し得る。基地局１０５の各々は、同じまたは異なるワイヤレス通信技術を使用してＵＥ１１５と通信し得る。場合によっては、基地局１０５−ｅは、基地局通信モジュール１７２５を利用して１０５−ｆまたは１０５−ｇなどの他の基地局と通信し得る。いくつかの例では、基地局通信モジュール１７２５は、基地局１０５のうちのいくつかの間の通信を行うために、ロングタームエボリューション（ＬＴＥ）／ＬＴＥ−Ａワイヤレス通信ネットワーク技術内のＸ２インターフェースを与え得る。いくつかの例では、基地局１０５−ｅは、コアネットワーク１３０を通して他の基地局と通信し得る。場合によっては、基地局１０５−ｅは、ネットワーク通信モジュール１７３０を通してコアネットワーク１３０と通信し得る。
【０１３３】
[0142]基地局１０５−ｅは、プロセッサ１７０５と、（ソフトウェア（ＳＷ）１７２０を含む）メモリ１７１５と、トランシーバ１７３５と、アンテナ１７４０とを含み得、それらの各々は、（たとえば、バスシステム１７４５を介して）互いと直接または間接的に通信していることがある。トランシーバ１７３５は、アンテナ１７４０を介して、マルチモードデバイスであり得るＵＥ１１５と双方向に通信するように構成され得る。トランシーバ１７３５（または基地局１０５−ｅの他の構成要素）はまた、アンテナ１７４０を介して、１つまたは複数の他の基地局（図示せず）と双方向に通信するように構成され得る。トランシーバ１７３５は、パケットを変調し、変調されたパケットを送信のためにアンテナ１７４０に与え、アンテナ１７４０から受信されたパケットを復調するように構成されたモデムを含み得る。基地局１０５−ｅは、各々が１つまたは複数の関連するアンテナ１７４０をもつ、複数のトランシーバ１７３５を含み得る。トランシーバは、図１４の組み合わされた受信機１４０５および送信機１４１５の一例であり得る。
【０１３４】
[0143]メモリ１７１５はＲＡＭとＲＯＭとを含み得る。メモリ１７１５はまた、実行されたとき、プロセッサ１７１０に本明細書で説明する様々な機能（たとえば、複数のトランスポートブロック送信のためのコードブロック分割およびレートマッチング、カバレージ拡張技法を選択すること、呼処理、データベース管理、メッセージルーティングなど）を実行させるように構成された命令を含んでいるコンピュータ可読、コンピュータ実行可能ソフトウェアコード１７２０を記憶し得る。代替的に、ソフトウェア１７２０は、プロセッサ１７０５によって直接的に実行可能でないことがあるが、たとえば、コンパイルされ実行されたとき、コンピュータに本明細書で説明する機能を実行させるように構成され得る。プロセッサ１７０５は、インテリジェントハードウェアデバイス、たとえば、ＣＰＵ、マイクロコントローラ、ＡＳＩＣなどを含み得る。プロセッサ１７０５は、エンコーダ、キュー処理モジュール、ベースバンドプロセッサ、無線ヘッドコントローラ、デジタル信号プロセッサ（ＤＳＰ）など、様々な専用プロセッサを含み得る。
【０１３５】
[0144]基地局通信モジュール１７２５は他の基地局１０５との通信を管理し得る。場合によっては、通信管理モジュールは、他の基地局１０５と協働してＵＥ１１５との通信を制御するためのコントローラまたはスケジューラを含み得る。たとえば、基地局通信モジュール１７２５は、ビームフォーミングまたはジョイント送信などの様々な干渉緩和技法のためのＵＥ１１５への送信のためのスケジューリングを協調させ得る。
【０１３６】
[0145]ワイヤレスデバイス１０００、ワイヤレスデバイス１１００、およびワイヤレス通信管理モジュール１０１０、ワイヤレスデバイス１４００、ワイヤレスデバイス１５００、および基地局ワイヤレス通信管理モジュール１４１０の構成要素は、適用可能な機能の一部または全部をハードウェアで実行するように適応された少なくとも１つのＡＳＩＣを用いて、個々にまたはまとめて実装され得る。代替的に、それらの機能は、１つまたは複数の他の処理ユニット（またはコア）によって、少なくとも１つのＩＣ上で実行され得る。他の例では、当技術分野で知られている任意の様式でプログラムされ得る、他のタイプの集積回路（たとえば、ストラクチャード／プラットフォームＡＳＩＣ、フィールドプログラマブルゲートアレイ（ＦＰＧＡ）、または別のセミカスタムＩＣ）が使用され得る。各ユニットの機能はまた、全体的または部分的に、１つまたは複数の汎用または特定用途向けプロセッサによって実行されるようにフォーマットされた、メモリに組み込まれた命令を用いて実装され得る。
【０１３７】
[0146]図１８に、本開示の様々な態様による、複数のトランスポートブロック送信のためのコードブロック分割およびレートマッチングのための方法１８００を示すフローチャートを示す。方法１８００の動作は、図１〜図１７を参照しながら説明したように、基地局１０５またはそれの構成要素によって実装され得る。たとえば、方法１８００の動作は、図１４〜図１７を参照しながら説明したように、基地局ワイヤレス通信管理モジュール１４１０によって実行され得る。いくつかの例では、基地局１０５は、以下で説明する機能を実行するように基地局１０５の機能要素を制御するためのコードのセットを実行し得る。追加または代替として、基地局１０５は、専用ハードウェアを使用して、以下で説明する態様機能を実行し得る。
【０１３８】
[0147]ブロック１８０５において、基地局１０５は、図２〜図９を参照しながら説明したように、受信機への送信のためのトランスポートブロックグループサイズを識別し得る。いくつかの例では、ブロック１８０５の動作は、図１５を参照しながら説明したように、トランスポートブロックグループサイズモジュール１５０５によって実行され得る。
【０１３９】
[0148]ブロック１８１０において、基地局１０５は、図２〜図９を参照しながら説明したように、送信の間に受信機に再送信されるべき１つまたは複数の前のトランスポートブロックの任意のコードブロックの再送信サイズを決定し得る。いくつかの例では、ブロック１８１０の動作は、図１５を参照しながら説明したように、再送信決定モジュール１５１０によって実行され得る。
【０１４０】
[0149]ブロック１８１５において、基地局１０５は、図２〜図９を参照しながら説明したように、トランスポートブロックグループサイズと再送信サイズとに基づいて送信の間に受信機に新しいトランスポートブロックを送信すべきかどうかを決定し得る。いくつかの例では、ブロック１８１５の動作は、図１５を参照しながら説明したように、新しいトランスポートブロック決定モジュール１５１５によって実行され得る。
【０１４１】
[0150]図１９に、本開示の様々な態様による、複数のトランスポートブロック送信のためのコードブロック分割およびレートマッチングのための方法１９００を示すフローチャートを示す。方法１９００の動作は、図１〜図１７を参照しながら説明したように、基地局１０５またはそれの構成要素によって実装され得る。たとえば、方法１９００の動作は、図１４〜図１７を参照しながら説明したように、基地局ワイヤレス通信管理モジュール１４１０によって実行され得る。いくつかの例では、基地局１０５は、以下で説明する機能を実行するように基地局１０５の機能要素を制御するためのコードのセットを実行し得る。追加または代替として、基地局１０５は、専用ハードウェアを使用して、以下で説明する機能態様を実行し得る。方法１９００はまた、図１８の方法１８００の態様を組み込み得る。
【０１４２】
[0151]ブロック１９０５において、基地局１０５は、図２〜図９を参照しながら説明したように、受信機への送信のためのトランスポートブロックグループサイズを識別し得る。いくつかの例では、ブロック１９０５の動作は、図１５を参照しながら説明したように、トランスポートブロックグループサイズモジュール１５０５によって実行され得る。
【０１４３】
[0152]ブロック１９１０において、基地局１０５は、図２〜図９を参照しながら説明したように、送信の間に受信機に再送信されるべき１つまたは複数の前のトランスポートブロックの任意のコードブロックの再送信サイズを決定し得る。いくつかの例では、ブロック１９１０の動作は、図１５を参照しながら説明したように、再送信決定モジュール１５１０によって実行され得る。
【０１４４】
[0153]ブロック１９１５において、基地局１０５は、図２〜図９を参照しながら説明したように、トランスポートブロックグループサイズが再送信サイズを上回るとき、受信機に新しいトランスポートブロックを送信することを決定し得る。いくつかの例では、ブロック１９１５の動作は、図１５を参照しながら説明したように、新しいトランスポートブロック決定モジュール１５１５によって実行され得る。
【０１４５】
[0154]ブロック１９２０において、基地局１０５は、図２〜図９を参照しながら説明したように、トランスポートブロックグループサイズと再送信サイズとの間の差に基づいて新しいトランスポートブロックのサイズを決定し得る。いくつかの例では、ブロック１９２０の動作は、図１５を参照しながら説明したように、新しいトランスポートブロック決定モジュール１５１５によって実行され得る。
【０１４６】
[0155]図２０に、本開示の様々な態様による、複数のトランスポートブロック送信のためのコードブロック分割およびレートマッチングのための方法２０００を示すフローチャートを示す。方法２０００の動作は、図１〜図１７を参照しながら説明したように、ＵＥ１１５またはそれの構成要素によって実装され得る。たとえば、方法２０００の動作は、図１０〜図１３を参照しながら説明したようにワイヤレス通信管理モジュール１０１０によって実行され得る。いくつかの例では、ＵＥ１１５は、以下で説明する機能を実行するようにＵＥ１１５の機能要素を制御するためのコードのセットを実行し得る。追加または代替として、ＵＥ１１５は、専用ハードウェアを使用して、以下で説明する機能態様を実行し得る。
【０１４７】
[0156]ブロック２００５において、ＵＥ１１５は、図２〜図９を参照しながら説明したように、送信のためのトランスポートブロックグループサイズを識別し得る。いくつかの例では、ブロック２００５の動作は、図１１を参照しながら説明したように、ＵＥ  ＴＢＧサイズ決定モジュール１１０５によって実行され得る。
【０１４８】
[0157]ブロック２０１０において、ＵＥ１１５は、図２〜図９を参照しながら説明したように、２つ以上のトランスポートブロックからのコードブロックが送信中に含まれるべきかどうかのインジケーションを受信し得る。いくつかの例では、ブロック２０１０の動作は、図１１を参照しながら説明したように、ＵＥ再送信決定モジュール１１１０によって実行され得る。
【０１４９】
[0158]ブロック２０１５において、ＵＥ１１５は、図２〜図９を参照しながら説明したように、トランスポートブロックグループサイズとインジケーションとに基づいて２つ以上のトランスポートブロックからのコードブロックのためのコードブロックサイズを決定し得る。いくつかの例では、ブロック２０１５の動作は、図１１を参照しながら説明したように、ＵＥ  ＣＢ分割モジュール１１１５によって実行され得る。
【０１５０】
[0159]図２１に、本開示の様々な態様による、複数のトランスポートブロック送信のためのコードブロック分割およびレートマッチングのための方法２１００を示すフローチャートを示す。方法２１００の動作は、図１〜図１７を参照しながら説明したように、ＵＥ１１５またはそれの構成要素によって実装され得る。たとえば、方法２１００の動作は、図１０〜図１３を参照しながら説明したようにワイヤレス通信管理モジュール１０１０によって実行され得る。いくつかの例では、ＵＥ１１５は、以下で説明する機能を実行するようにＵＥ１１５の機能要素を制御するためのコードのセットを実行し得る。追加または代替として、ＵＥ１１５は、専用ハードウェアを使用して、以下で説明する機能態様を実行し得る。方法２１００はまた、図２０の方法２０００の態様を組み込み得る。
【０１５１】
[0160]ブロック２１０５において、ＵＥ１１５は、図２〜図９を参照しながら説明したように、送信のためのトランスポートブロックグループサイズを識別し得る。いくつかの例では、ブロック２１０５の動作は、図１１を参照しながら説明したように、ＵＥ  ＴＢＧサイズ決定モジュール１１０５によって実行され得る。
【０１５２】
[0161]ブロック２１１０において、ＵＥ１１５は、図２〜図９を参照しながら説明したように、２つ以上のトランスポートブロックからのコードブロックが送信中に含まれるべきかどうかのインジケーションを受信し得る。いくつかの例では、ブロック２１１０の動作は、図１１を参照しながら説明したように、ＵＥ再送信決定モジュール１１１０によって実行され得る。
【０１５３】
[0162]ブロック２１１５において、ＵＥ１１５は、図２〜図９を参照しながら説明したように、送信の間に再送信されるべき１つまたは複数の前のトランスポートブロックのコードブロックの再送信サイズを決定し得る。いくつかの例では、ブロック２１１５の動作は、図１１を参照しながら説明したように、ＵＥ  ＣＢ分割モジュール１１１５によって実行され得る。
【０１５４】
[0163]ブロック２１２０において、ＵＥ１１５は、図２〜図９を参照しながら説明したように、トランスポートブロックグループサイズと再送信サイズとの間の差に基づいて新しいトランスポートブロックのサイズを決定し得る。いくつかの例では、ブロック２１２０の動作は、図１１を参照しながら説明したように、ＵＥ  ＣＢ分割モジュール１１１５によって実行され得る。
【０１５５】
[0164]図２２に、本開示の様々な態様による、複数のトランスポートブロック送信のためのコードブロック分割およびレートマッチングのための方法２２００を示すフローチャートを示す。方法２２００の動作は、図１〜図１７を参照しながら説明したように、ＵＥ１１５またはそれの構成要素によって実装され得る。たとえば、方法２２００の動作は、図１０〜図１３を参照しながら説明したようにワイヤレス通信管理モジュール１０１０によって実行され得る。いくつかの例では、ＵＥ１１５は、以下で説明する機能を実行するようにＵＥ１１５の機能要素を制御するためのコードのセットを実行し得る。追加または代替として、ＵＥ１１５は、専用ハードウェアを使用して、以下で説明する機能態様を実行し得る。方法２２００はまた、図２０〜図２１の方法２０００、および２１００の態様を組み込み得る。
【０１５６】
[0165]ブロック２２０５において、ＵＥ１１５は、図２〜図９を参照しながら説明したように、アップリンク送信のためのリソース許可を受信すること、リソース許可は、アップリンク送信のためのアップリンク送信リソースを識別する、を行い得る。いくつかの例では、ブロック２２０５の動作は、図１２を参照しながら説明したように、ＵＥリソース許可モジュール１２２０によって実行され得る。
【０１５７】
[0166]ブロック２２１０において、ＵＥ１１５は、図２〜図９を参照しながら説明したように、リソース許可に基づいて、アップリンク送信中に送信されるべきトランスポートブロックグループのためのトランスポートブロックグループサイズを決定すること、トランスポートブロックグループは、アップリンク送信中に送信されるべき２つ以上のトランスポートブロックからの複数のコードブロックを含む、を行い得る。いくつかの例では、ブロック２２１０の動作は、図１１を参照しながら説明したように、ＵＥ  ＴＢＧサイズ決定モジュール１１０５によって実行され得る。
【０１５８】
[0167]ブロック２２１５において、ＵＥ１１５は、図２〜図９を参照しながら説明したように、アップリンク送信リソースのためのワイヤレス通信チャネルの利用可能性を決定するためにアップリンク送信のために使用されるべきワイヤレス通信チャネルに対してリッスンビフォアトーク（ＬＢＴ）プロシージャを実行し得る。いくつかの例では、ブロック２２１５の動作は、図１２を参照しながら説明したように、ＵＥ  ＬＢＴモジュール１２２５によって実行され得る。
【０１５９】
[0168]ブロック２２２０において、ＵＥ１１５は、図２〜図９を参照しながら説明したように、ワイヤレス通信チャネルがアップリンク送信リソースの一部分に対して利用不可能であることを示すＬＢＴプロシージャに基づいてトランスポートブロックグループサイズ、符号化レート、またはアップリンク送信のためのコードブロックの量のうちの１つまたは複数を修正し得る。いくつかの例では、ブロック２２２０の動作は、図１２を参照しながら説明したように、アップリンク修正モジュール１２３０によって実行され得る。
【０１６０】
[0169]図２３に、本開示の様々な態様による、複数のトランスポートブロック送信のためのコードブロック分割およびレートマッチングのための方法２３００を示すフローチャートを示す。方法２３００の動作は、図１〜図１７を参照しながら説明したように、ＵＥ１１５またはそれの構成要素によって実装され得る。たとえば、方法２３００の動作は、図１０〜図１３を参照しながら説明したようにワイヤレス通信管理モジュール１０１０によって実行され得る。いくつかの例では、ＵＥ１１５は、以下で説明する機能を実行するようにＵＥ１１５の機能要素を制御するためのコードのセットを実行し得る。追加または代替として、ＵＥ１１５は、専用ハードウェアを使用して、以下で説明する機能態様を実行し得る。方法２３００はまた、図２０〜図２２の方法２０００、２１００、および２２００の態様を組み込み得る。
【０１６１】
[0170]ブロック２３０５において、ＵＥ１１５は、図２〜図９を参照しながら説明したように、アップリンク送信のためのリソース許可を受信すること、リソース許可は、アップリンク送信のためのアップリンク送信リソースを識別する、を行い得る。いくつかの例では、ブロック２３０５の動作は、図１２を参照しながら説明したように、ＵＥリソース許可モジュール１２２０によって実行され得る。
【０１６２】
[0171]ブロック２３１０において、ＵＥ１１５は、図２〜図９を参照しながら説明したように、リソース許可に基づいて、アップリンク送信中に送信されるべきトランスポートブロックグループのためのトランスポートブロックグループサイズを決定すること、トランスポートブロックグループは、アップリンク送信中に送信されるべき２つ以上のトランスポートブロックからの複数のコードブロックを含む、を行い得る。いくつかの例では、ブロック２３１０の動作は、図１１を参照しながら説明したように、ＵＥ  ＴＢＧサイズ決定モジュール１１０５によって実行され得る。
【０１６３】
[0172]ブロック２３１５において、ＵＥ１１５は、図２〜図９を参照しながら説明したように、アップリンク送信リソースのためのワイヤレス通信チャネルの利用可能性を決定するためにアップリンク送信のために使用されるべきワイヤレス通信チャネルに対してリッスンビフォアトーク（ＬＢＴ）プロシージャを実行し得る。いくつかの例では、ブロック２３１５の動作は、図１２を参照しながら説明したように、ＵＥ  ＬＢＴモジュール１２２５によって実行され得る。
【０１６４】
[0173]ブロック２３２０において、ＵＥ１１５は、図２〜図９を参照しながら説明したように、利用可能なリソースに基づいてトランスポートブロックグループサイズを修正し得る。いくつかの例では、ブロック２３２０の動作は、図１２を参照しながら説明したように、アップリンク修正モジュール１２３０によって実行され得る。
【０１６５】
[0174]ブロック２３２５において、ＵＥ１１５は、図２〜図９を参照しながら説明したように、修正されたトランスポートブロックグループサイズに基づいてコードブロックのうちの１つまたは複数をドロップし得る。いくつかの例では、ブロック２３２５の動作は、図１２を参照しながら説明したように、アップリンク修正モジュール１２３０によって実行され得る。
【０１６６】
[0175]このようにして、方法１８００、１９００、２０００、２１００、２２００、および２３００は、複数のトランスポートブロック送信のためのコードブロック分割およびレートマッチングを提供し得る。方法１８００、１９００、２０００、２１００、２２００および２３００は可能な実装形態について説明していることと、動作およびステップは、他の実装形態が可能であるように、並べ替えられるかまたは場合によっては修正され得ることとに留意されたい。いくつかの例では、方法１８００、１９００、２０００、２１００、２２００および２３００のうちの２つまたはそれ以上からの態様が組み合わされ得る。
【０１６７】
[0176]本明細書での説明は、例を与えるものであり、特許請求の範囲に記載される範囲、適用性、または例を限定するものではない。本開示の範囲から逸脱することなく、説明した要素の機能および構成において修正が行われ得る。様々な例は、適宜に様々なプロシージャまたは構成要素を省略、置換、または追加し得る。また、いくつかの例に関して説明した特徴は、他の例において組み合わされ得る。
【０１６８】
[0177]本明細書で説明した技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなど、様々なワイヤレス通信システムのために使用され得る。「システム」および「ネットワーク」という用語は、しばしば互換的に使用される。符号分割多元接続（ＣＤＭＡ）システムは、ＣＤＭＡ２０００、ユニバーサル地上波無線アクセス（ＵＴＲＡ：Universal Terrestrial Radio Access）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））およびＣＤＭＡの他の変形態を含む。時分割多元接続（ＴＤＭＡ）システムは、モバイル通信用グローバルシステム（ＧＳＭ（登録商標））などの無線技術を実装し得る。直交周波数分割多元接続（ＯＦＤＭＡ）システムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションズシステム（ＵＭＴＳ：Universal Mobile Telecommunications system）の一部である。３ＧＰＰ（登録商標）ロングタームエボリューション（ＬＴＥ）およびＬＴＥアドバンスト（ＬＴＥ−ａ）は、Ｅ−ＵＴＲＡを使用するユニバーサルモバイルテレコミュニケーションズシステム（ＵＭＴＳ）の新しいリリースである。ＵＴＲＡ、Ｅ−ＵＴＲＡ、ユニバーサルモバイルテレコミュニケーションズシステム（ＵＭＴＳ）、ＬＴＥ、ＬＴＥ−ａ、およびモバイル通信用グローバルシステム（ＧＳＭ）は、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明した技法は、上述のシステムおよび無線技術、ならびに他のシステムおよび無線技術に使用され得る。ただし、本明細書の説明では、例としてＬＴＥシステムについて説明し、上記の説明の大部分においてＬＴＥ用語が使用されるが、本技法はＬＴＥ適用例以外に適用可能である。
【０１６９】
[0178]本明細書で説明するそのようなネットワークを含む、ＬＴＥ／ＬＴＥ−ａネットワークでは、発展型ノードＢ（ｅＮＢ）という用語は、概して、基地局を表すために使用され得る。本明細書で説明した１つまたは複数のワイヤレス通信システムは、異なるタイプの発展型ノードＢ（ｅＮＢ）が様々な地理的領域にカバレージを与える異種ＬＴＥ／ＬＴＥ−ａネットワークを含み得る。たとえば、各ｅＮＢまたは基地局は、マクロセル、スモールセル、または他のタイプのセルに通信カバレージを与え得る。「セル」という用語は、状況に応じて、基地局、基地局に関連するキャリアもしくはコンポーネントキャリア、またはキャリアもしくは基地局のカバレージエリア（たとえば、セクタなど）を記述するために使用され得る３ＧＰＰ用語である。
【０１７０】
[0179]基地局は、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語を含み得るか、またはそのように当業者によって呼ばれることがある。基地局のための地理的カバレージエリアは、カバレージエリアの一部分のみを構成するセクタに分割され得る。本明細書で説明した１つまたは複数のワイヤレス通信システムは、異なるタイプの基地局（たとえば、マクロセル基地局またはスモールセル基地局）を含み得る。本明細書で説明したＵＥは、マクロｅＮＢ、スモールセルｅＮＢ、リレー基地局などを含む、様々なタイプの基地局およびネットワーク機器と通信することが可能であり得る。異なる技術のための重複する地理的カバレージエリアがあり得る。
【０１７１】
[0180]マクロセルは、概して、比較的大きい地理的エリア（たとえば、半径数キロメートル）をカバーし、サービスに加入しているＵＥによるネットワークプロバイダとの無制限アクセスを可能にし得る。スモールセルは、マクロセルと比較して、マクロセルと同じまたは異なる（たとえば、認可、無認可などの）周波数帯域内で動作し得る低電力基地局である。スモールセルは、様々な例によれば、ピコセルと、フェムトセルと、マイクロセルとを含み得る。ピコセルは、たとえば、小さい地理的エリアをカバーし得、ネットワークプロバイダのサービスに加入しているＵＥによる無制限アクセスを可能にし得る。フェムトセルは、小さい地理的エリア（たとえば、自宅）を同じくカバーし得、フェムトセルとの関連を有するＵＥ（たとえば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢまたはホームｅＮＢと呼ばれることがある。ｅＮＢは、１つまたは複数の（たとえば、２つ、３つ、４つなどの）セル（たとえば、コンポーネントキャリア）をサポートし得る。ＵＥは、マクロｅＮＢ、スモールセルｅＮＢ、リレー基地局などを含む、様々なタイプの基地局およびネットワーク機器と通信することが可能であり得る。
【０１７２】
[0181]本明細書で説明した１つまたは複数のワイヤレス通信システムは、同期動作または非同期動作をサポートし得る。同期動作の場合、基地局は、同様のフレームタイミングを有し得、異なる基地局からの送信は、近似的に時間的に整合され得る。非同期動作の場合、基地局は異なるフレームタイミングを有し得、異なる基地局からの送信は時間的に整合されないことがある。本明細書で説明した技法は、同期動作または非同期動作のいずれかのために使用され得る。
【０１７３】
[0182]本明細書で説明したダウンリンク送信は、順方向リンク送信と呼ばれることもあり、アップリンク送信は、逆方向リンク送信と呼ばれることもある。たとえば、図１および図２のワイヤレス通信システム１００および２００を含む、本明細書で説明する各通信リンクは、１つまたは複数のキャリアを含み得、ここで、各キャリアは、複数のサブキャリアからなる信号（たとえば、異なる周波数の波形信号）であり得る。各被変調信号は、異なるサブキャリア上で送られ得、制御情報（たとえば、基準信号、制御チャネルなど）、オーバーヘッド情報、ユーザデータなどを搬送し得る。本明細書で説明する通信リンク（たとえば、図１の通信リンク１２５）は、周波数分割複信（ＦＤＤ）動作を使用して（たとえば、対スペクトルリソースを使用して）または時分割複信（ＴＤＤ）動作を使用して（たとえば、不対スペクトルリソースを使用して）双方向通信を送信し得る。周波数分割複信（ＦＤＤ）（たとえば、フレーム構造タイプ１）およびＴＤＤ（たとえば、フレーム構造タイプ２）のためのフレーム構造が定義され得る。
【０１７４】
[0183]添付の図面に関して本明細書に記載した説明は、例示的な構成について説明しており、実装され得るまたは特許請求の範囲内に入るすべての例を表すとは限らない。本明細書で使用する「例示的」という用語は、「例、事例、または例示の働きをすること」を意味し、「好ましい」または「他の例よりも有利な」を意味しない。詳細な説明は、説明した技法の理解を与えるための具体的な詳細を含む。ただし、これらの技法は、これらの具体的な詳細なしに実施され得る。いくつかの事例では、説明した例の概念を不明瞭にすることを回避するために、よく知られている構造およびデバイスがブロック図の形式で示される。
【０１７５】
[0184]添付の図では、同様の構成要素または特徴は同じ参照ラベルを有し得る。さらに、同じタイプの様々な構成要素が、参照ラベルの後に、ダッシュと、同様の構成要素を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のいずれにも適用可能である。
【０１７６】
[0185]本明細書で説明した情報および信号は、多種多様な技術および技法のいずれかを使用して表され得る。たとえば、上の説明全体にわたって参照され得るデータ、命令、コマンド、情報、信号、ビット、シンボル、およびチップは、電圧、電流、電磁波、磁場もしくは磁気粒子、光場もしくは光粒子、またはそれらの任意の組合せによって表され得る。
【０１７７】
[0186]本明細書の開示に関して説明した様々な例示的なブロックおよびモジュールは、汎用プロセッサ、ＤＳＰ、ＡＳＩＣ、ＦＰＧＡまたは他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、またはステートマシンであり得る。プロセッサは、コンピューティングデバイスの組合せ（たとえば、デジタル信号プロセッサ（ＤＳＰ）とマイクロプロセッサとの組合せ、複数のマイクロプロセッサ、ＤＳＰコアと連携する１つまたは複数のマイクロプロセッサ、または任意の他のそのような構成）としても実装され得る。
【０１７８】
[0187]本明細書で説明する機能は、ハードウェア、プロセッサによって実行されるソフトウェア、ファームウェア、またはそれらの任意の組合せで実施され得る。プロセッサによって実行されるソフトウェアで実施される場合、機能は、１つまたは複数の命令またはコードとしてコンピュータ可読媒体上に記憶されるか、あるいはコンピュータ可読媒体を介して送信され得る。他の例および実装形態は、本開示の範囲内および添付の特許請求の範囲内に入る。たとえば、ソフトウェアの性質により、上記で説明した機能は、プロセッサによって実行されるソフトウェア、ハードウェア、ファームウェア、ハードワイヤリング、またはこれらのうちのいずれかの組合せを使用して実装され得る。機能を実装する特徴はまた、異なる物理ロケーションにおいて機能の部分が実装されるように分散されることを含めて、様々な位置に物理的に配置され得る。また、特許請求の範囲を含めて、本明細書で使用する場合、項目の列挙（たとえば、「のうちの少なくとも１つ」あるいは「のうちの１つまたは複数」などの句で終わる項目の列挙）中で使用される「または」は、たとえば、Ａ、Ｂ、またはＣのうちの少なくとも１つの列挙が、ＡまたはＢまたはＣまたはＡＢまたはＡＣまたはＢＣまたはＡＢＣ（すなわち、ＡおよびＢおよびＣ）を意味するような包括的列挙を示す。
【０１７９】
[0188]コンピュータ可読媒体は、ある場所から別の場所へのコンピュータプログラムの転送を可能にする任意の媒体を含む、非一時的コンピュータ記憶媒体とコンピュータ通信媒体の両方を含む。非一時的記憶媒体は、汎用または専用コンピュータによってアクセスされ得る任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る任意の他の非一時的媒体を備えることができる。さらに、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、デジタル加入者回線（ＤＳＬ）、または赤外線、無線、およびマイクロ波などのワイヤレス技術は、媒体の定義に含まれる。本明細書で使用するディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せも、コンピュータ可読媒体の範囲内に含まれる。
【０１８０】
[0189]本明細書の説明は、当業者が本開示を作成または使用することができるように与えられたものである。本開示への様々な修正は当業者には容易に明らかとなり、本明細書で定義された一般原理は、本開示の範囲から逸脱することなく他の変形形態に適用され得る。したがって、本開示は、本明細書で説明した例および設計に限定されるべきでなく、本明細書で開示される原理および新規の特徴に合致する最も広い範囲を与えられるべきである。
以下に、本願出願の当初の特許請求の範囲に記載された発明を付記する。
［Ｃ１］
ワイヤレス通信のための方法であって、
受信機への送信のためのトランスポートブロックグループサイズを識別することと、
前記送信の間に前記受信機に再送信されるべき１つまたは複数の前のトランスポートブロックの１つまたは複数のコードブロックの再送信サイズを決定することと、
前記トランスポートブロックグループサイズと前記再送信サイズとに少なくとも部分的に基づいて前記送信の間に前記受信機に新しいトランスポートブロックを送信すべきかどうかを決定することと
を備える、方法。
［Ｃ２］
２つ以上の異なるトランスポートブロックからのコードブロックは、前記送信の間に前記トランスポートブロックグループ中で送信される、
［Ｃ１］に記載の方法。
［Ｃ３］
前記トランスポートブロックグループサイズが前記再送信サイズを上回るとき、前記受信機に前記新しいトランスポートブロックを送信することを決定することをさらに備える、
［Ｃ１］に記載の方法。
［Ｃ４］
前記トランスポートブロックグループサイズと前記再送信サイズとの間の差に少なくとも部分的に基づいて前記新しいトランスポートブロックのサイズを決定することをさらに備える、
［Ｃ３］に記載の方法。
［Ｃ５］
前記トランスポートブロックグループサイズは、前記送信のために割り当てられたワイヤレスリソース中のリソースブロックの数、前記送信のために割り当てられた前記ワイヤレスリソース中の送信時間間隔の数、前記送信のために使用される空間多重化レイヤの数、または前記送信のために使用される変調およびコーディングスキームのうちの１つまたは複数に少なくとも部分的に基づいて決定される、
［Ｃ１］に記載の方法。
［Ｃ６］
前記再送信サイズを前記決定することは、
前記受信機に送信された前記１つまたは複数の前のトランスポートブロックからの１つまたは複数のコードブロックが、前記受信機に再送信されるべきであると決定することと、
再送信されるべきである前記１つまたは複数のコードブロックのコードブロックサイズをアグリゲートすることと
を備える、［Ｃ１］に記載の方法。
［Ｃ７］
前記１つまたは複数の前のトランスポートブロックからの前記１つまたは複数のコードブロックは、前記受信機に再送信されるべきであると前記決定することが、否定応答（ＮＡＣＫ）が前記１つまたは複数のコードブロックに関連付けられると決定することを備える、
［Ｃ６］に記載の方法。
［Ｃ８］
前記新しいトランスポートブロックが前記送信の間に送信されるべきであるのかどうかのインジケーションを送信することと、
前記送信の間に再送信されるコードブロックを備える連続する前のトランスポートブロックの数を識別することと、
前記送信の間に再送信されるコードブロックを備える前記連続する前のトランスポートブロックの数より前のトランスポートブロックに関連する再送信されるべきコードブロックを破棄することと
をさらに備える、［Ｃ１］に記載の方法。
［Ｃ９］
前記再送信サイズは、再送信されるべきコードブロックのコードブロックサイズの和に少なくとも部分的に基づいて決定される、
［Ｃ１］に記載の方法。
［Ｃ１０］
前記送信の間に再送信されるコードブロックを備える連続する前のトランスポートブロックの数のインジケーションを送信することをさらに備える、
［Ｃ１］に記載の方法。
［Ｃ１１］
前記トランスポートブロックグループサイズと前記再送信サイズとの間の差が、前記送信中に前記受信機に再送信されるべき前記１つまたは複数の前のトランスポートブロックの前記コードブロックのみを含むことをサポートすると決定することをさらに備える、
［Ｃ１］に記載の方法。
［Ｃ１２］
前記トランスポートブロックグループサイズと前記再送信サイズとの間の差が、前記送信中に前記新しいトランスポートブロックを含むことをサポートすると決定することをさらに備える、
［Ｃ１］に記載の方法。
［Ｃ１３］
前記受信機への前記送信は、２つ以上の空間多重化レイヤ上での空間多重化送信であり、各空間多重化レイヤの変調およびコーディングスキーム（ＭＣＳ）は、前記空間多重化レイヤの他方のための前記ＭＣＳとは無関係に決定される、
［Ｃ１］に記載の方法。
［Ｃ１４］
前記トランスポートブロックグループサイズを識別することは、各空間多重化レイヤのための前記トランスポートブロックグループサイズを識別することを備え、
前記再送信サイズを決定することは、各空間多重化レイヤについて前記送信の間に前記受信機に再送信されるべき１つまたは複数の前のトランスポートブロックの任意のコードブロックの前記再送信サイズを決定することを備える、
［Ｃ１］に記載の方法。
［Ｃ１５］
ワイヤレス通信のための方法であって、
送信のためのトランスポートブロックグループサイズを識別することと、
２つ以上のトランスポートブロックからのコードブロックが前記送信中に含まれるべきかどうかのインジケーションを受信することと、
前記トランスポートブロックグループサイズと前記インジケーションとに少なくとも部分的に基づいて前記２つ以上のトランスポートブロックからのコードブロックのためのコードブロックサイズを決定することと
を備える、方法。
［Ｃ１６］
前記送信の間に再送信されるコードブロックを備える連続する前のトランスポートブロックの数を識別することと、
前記送信の間に再送信されるコードブロックを備える前記連続する前のトランスポートブロックの数より前のトランスポートブロックに関連するコードブロックに関係する情報を破棄することと
をさらに備える、［Ｃ１５］に記載の方法。
［Ｃ１７］
前記送信の間に再送信されるべき１つまたは複数の前のトランスポートブロックのコードブロックの再送信サイズを決定することをさらに備える、
［Ｃ１５］に記載の方法。
［Ｃ１８］
前記トランスポートブロックグループサイズと前記再送信サイズとの間の差に少なくとも部分的に基づいて前記新しいトランスポートブロックのサイズを決定することをさらに備える、
［Ｃ１７］に記載の方法。
［Ｃ１９］
新しいトランスポートブロックが前記送信の間に送信されるべきであるというインジケーションを受信することをさらに備える、
［Ｃ１８］に記載の方法。
［Ｃ２０］
前記インジケーションは、１ビットのインジケータを備え、新しいトランスポートブロックが、前記トランスポートブロックグループサイズよりも小さい再送信サイズを有する各空間多重化レイヤ上で送信される、
［Ｃ１９］に記載の方法。
［Ｃ２１］
ワイヤレス通信のための方法であって、
アップリンク送信のためのリソース許可を受信すること、前記リソース許可は、前記アップリンク送信のためのアップリンク送信リソースを識別する、と、
前記リソース許可に少なくとも部分的に基づいて、前記アップリンク送信中に送信されるべきトランスポートブロックグループのためのトランスポートブロックグループサイズを決定すること、前記トランスポートブロックグループは、前記アップリンク送信中に送信されるべき２つ以上のトランスポートブロックからの複数のコードブロックを含む、と
を備える、方法。
［Ｃ２２］
前記アップリンク送信リソースのためのワイヤレス通信チャネルの利用可能性を決定するために前記アップリンク送信のために使用されるべき前記ワイヤレス通信チャネルに対してリッスンビフォアトーク（ＬＢＴ）プロシージャを実行することをさらに備える、
［Ｃ２１］に記載の方法。
［Ｃ２３］
前記ワイヤレス通信チャネルが前記アップリンク送信リソースの一部分に対して利用不可能であることを示す前記ＬＢＴプロシージャに少なくとも部分的に基づいて前記トランスポートブロックグループサイズ、符号化レート、または前記アップリンク送信のためのコードブロックの量のうちの１つまたは複数を修正することをさらに備える、
［Ｃ２２］に記載の方法。
［Ｃ２４］
前記複数のコードブロックは、第１のトランスポートブロックからの第１のコードブロックと第２のトランスポートブロックからの第２のコードブロックとを少なくとも備え、前記第１のコードブロックと前記第２のコードブロックとのコードブロックサイズが異なる、
［Ｃ２１］に記載の方法。
［Ｃ２５］
前記アップリンク送信リソースは、前記アップリンク送信のための２つ以上の送信時間間隔（ＴＴＩ）を備え、前記ＬＢＴプロシージャは、第１のＴＴＩに対して実行され、前記第１のＴＴＩについて前記ＬＢＴプロシージャが失敗したときに前記ＬＢＴプロシージャが第２のＴＴＩに対して実行される、
［Ｃ２１］に記載の方法。
［Ｃ２６］
前記アップリンク送信リソースは、前記アップリンク送信のための２つ以上の周波数リソースを備え、前記ＬＢＴプロシージャは、前記周波数リソースに対して実行される、
［Ｃ２１］に記載の方法。
［Ｃ２７］
前記修正することは、
前記アップリンク送信のための利用可能なリソースを決定することと、
前記利用可能なリソース中での前記複数のコードブロックの送信をサポートするためにコーディングレートを修正することと
を備える、［Ｃ２１］に記載の方法。
［Ｃ２８］
前記修正することは、
前記アップリンク送信のための利用可能なリソースを決定することと、
前記利用可能なリソース中で送信されるべき前記複数のコードブロックの一部分を識別することと
を備える、［Ｃ２１］に記載の方法。
［Ｃ２９］
前記修正することは、
前記アップリンク送信のための利用可能なリソースを決定することと、
前記利用可能なリソースに少なくとも部分的に基づいて前記トランスポートブロックグループサイズを修正することと、
前記修正されたトランスポートブロックグループサイズに少なくとも部分的に基づいて前記コードブロックのうちの１つまたは複数をドロップすることと
を備える、［Ｃ２１］に記載の方法。
［Ｃ３０］
ワイヤレス通信のための装置であって、
受信機への送信のためのトランスポートブロックグループサイズを識別するための手段と、
前記送信の間に前記受信機に再送信されるべき１つまたは複数の前のトランスポートブロックの１つまたは複数のコードブロックの再送信サイズを決定するための手段と、
前記トランスポートブロックグループサイズと前記再送信サイズとに少なくとも部分的に基づいて前記送信の間に前記受信機に新しいトランスポートブロックを送信すべきかどうかを決定するための手段と
を備える、装置。
［Ｃ３１］
２つ以上の異なるトランスポートブロックからのコードブロックは、前記送信の間に前記トランスポートブロックグループ中で送信される、
［Ｃ３０］に記載の装置。
［Ｃ３２］
前記トランスポートブロックグループサイズが前記再送信サイズを上回るとき、前記受信機に前記新しいトランスポートブロックを送信することを決定するための手段をさらに備える、
［Ｃ３０］に記載の装置。
［Ｃ３３］
前記トランスポートブロックグループサイズと前記再送信サイズとの間の差に少なくとも部分的に基づいて前記新しいトランスポートブロックのサイズを決定するための手段をさらに備える、
［Ｃ３２］に記載の装置。
［Ｃ３４］
前記トランスポートブロックグループサイズは、前記送信のために割り当てられたワイヤレスリソース中のリソースブロックの数、前記送信のために割り当てられた前記ワイヤレスリソース中の送信時間間隔の数、前記送信のために使用される空間多重化レイヤの数、または前記送信のために使用される変調およびコーディングスキームのうちの１つまたは複数に少なくとも部分的に基づいて決定される、
［Ｃ３０］に記載の装置。
［Ｃ３５］
前記再送信サイズを前記決定するための手段は、
前記受信機に送信された前記１つまたは複数の前のトランスポートブロックからの１つまたは複数のコードブロックが、前記受信機に再送信されるべきであると決定するための手段と、
再送信されるべきである前記１つまたは複数のコードブロックのコードブロックサイズをアグリゲートするための手段と
を備える、［Ｃ３０］に記載の装置。
［Ｃ３６］
前記１つまたは複数の前のトランスポートブロックからの前記１つまたは複数のコードブロックが前記受信機に再送信されるべきであると前記決定するための手段は、否定応答（ＮＡＣＫ）が前記１つまたは複数のコードブロックに関連付けられると決定するための手段を備える、
［Ｃ３５］に記載の装置。
［Ｃ３７］
前記新しいトランスポートブロックが前記送信の間に送信されるべきであるのかどうかのインジケーションを送信するための手段と、
前記送信の間に再送信されるコードブロックを備える連続する前のトランスポートブロックの数を識別するための手段と、
前記送信の間に再送信されるコードブロックを備える前記連続する前のトランスポートブロックの数より前のトランスポートブロックに関連する再送信されるべきコードブロックを破棄するための手段と
をさらに備える、［Ｃ３０］に記載の装置。
［Ｃ３８］
前記再送信サイズは、再送信されるべきコードブロックのコードブロックサイズの和に少なくとも部分的に基づいて決定される、
［Ｃ３０］に記載の装置。
［Ｃ３９］
前記送信の間に再送信されるコードブロックを備える連続する前のトランスポートブロックの数のインジケーションを送信するための手段をさらに備える、
［Ｃ３０］に記載の装置。
［Ｃ４０］
前記トランスポートブロックグループサイズと前記再送信サイズとの間の差が、前記送信中に前記受信機に再送信されるべき前記１つまたは複数の前のトランスポートブロックの前記コードブロックのみを含むことをサポートすると決定するための手段をさらに備える、
［Ｃ３０］に記載の装置。
［Ｃ４１］
前記トランスポートブロックグループサイズと前記再送信サイズとの間の差が、前記送信中に前記新しいトランスポートブロックを含むことをサポートすると決定するための手段をさらに備える、
［Ｃ３０］に記載の装置。
［Ｃ４２］
前記受信機への前記送信は、２つ以上の空間多重化レイヤ上での空間多重化送信であり、各空間多重化レイヤの変調およびコーディングスキーム（ＭＣＳ）は、前記空間多重化レイヤの他方のための前記ＭＣＳとは無関係に決定される、
［Ｃ３０］に記載の装置。
［Ｃ４３］
前記トランスポートブロックグループサイズを前記識別するための手段は、各空間多重化レイヤのための前記トランスポートブロックグループサイズを識別するための手段を備え、
前記再送信サイズを前記決定するための手段は、各空間多重化レイヤについて前記送信の間に前記受信機に再送信されるべき１つまたは複数の前のトランスポートブロックの任意のコードブロックの前記再送信サイズを決定するための手段を備える、
［Ｃ３０］に記載の装置。
［Ｃ４４］
ワイヤレス通信のための装置であって、
送信のためのトランスポートブロックグループサイズを識別するための手段と、
２つ以上のトランスポートブロックからのコードブロックが前記送信中に含まれるべきかどうかのインジケーションを受信するための手段と、
前記トランスポートブロックグループサイズと前記インジケーションとに少なくとも部分的に基づいて前記２つ以上のトランスポートブロックからのコードブロックのためのコードブロックサイズを決定するための手段と
を備える、装置。
［Ｃ４５］
前記送信の間に再送信されるコードブロックを備える連続する前のトランスポートブロックの数を識別するための手段と、
前記送信の間に再送信されるコードブロックを備える前記連続する前のトランスポートブロックの数より前のトランスポートブロックに関連するコードブロックに関係する情報を破棄するための手段と
をさらに備える、［Ｃ４４］に記載の装置。
［Ｃ４６］
前記送信の間に再送信されるべき１つまたは複数の前のトランスポートブロックのコードブロックの再送信サイズを決定するための手段をさらに備える、
［Ｃ４４］に記載の装置。
［Ｃ４７］
前記トランスポートブロックグループサイズと前記再送信サイズとの間の差に少なくとも部分的に基づいて前記新しいトランスポートブロックのサイズを決定するための手段をさらに備える、
［Ｃ４６］に記載の装置。
［Ｃ４８］
新しいトランスポートブロックが前記送信の間に送信されるべきであるというインジケーションを受信するための手段をさらに備える、
［Ｃ４７］に記載の装置。
［Ｃ４９］
前記インジケーションが、１ビットのインジケータを備え、新しいトランスポートブロックは、前記トランスポートブロックグループサイズよりも小さい再送信サイズを有する各空間多重化レイヤ上で送信される、
［Ｃ４８］に記載の装置。
［Ｃ５０］
ワイヤレス通信のための装置であって、
アップリンク送信のためのリソース許可を受信するための手段、前記リソース許可は、前記アップリンク送信のためのアップリンク送信リソースを識別する、と、
前記リソース許可に少なくとも部分的に基づいて、前記アップリンク送信中に送信されるべきトランスポートブロックグループのためのトランスポートブロックグループサイズを決定するための手段、前記トランスポートブロックグループは、前記アップリンク送信中に送信されるべき２つ以上のトランスポートブロックからの複数のコードブロックを含む、と
を備える、装置。
［Ｃ５１］
前記アップリンク送信リソースのためのワイヤレス通信チャネルの利用可能性を決定するために前記アップリンク送信のために使用されるべき前記ワイヤレス通信チャネルに対してリッスンビフォアトーク（ＬＢＴ）プロシージャを実行するための手段をさらに備える、
［Ｃ５０］に記載の装置。
［Ｃ５２］
前記ワイヤレス通信チャネルが前記アップリンク送信リソースの一部分に対して利用不可能であることを示す前記ＬＢＴプロシージャに少なくとも部分的に基づいて前記トランスポートブロックグループサイズ、符号化レート、または前記アップリンク送信のためのコードブロックの量のうちの１つまたは複数を修正するための手段をさらに備える、
［Ｃ５１］に記載の装置。
［Ｃ５３］
前記複数のコードブロックは、第１のトランスポートブロックからの第１のコードブロックと第２のトランスポートブロックからの第２のコードブロックとを少なくとも備え、前記第１のコードブロックと前記第２のコードブロックとのコードブロックサイズは、異なる、
［Ｃ５０］に記載の装置。
［Ｃ５４］
前記アップリンク送信リソースは、前記アップリンク送信のための２つ以上の送信時間間隔（ＴＴＩ）を備え、前記ＬＢＴプロシージャは、第１のＴＴＩに対して実行され、前記第１のＴＴＩについて前記ＬＢＴプロシージャが失敗したときに前記ＬＢＴプロシージャが第２のＴＴＩに対して実行される、
［Ｃ５０］に記載の装置。
［Ｃ５５］
前記アップリンク送信リソースは、前記アップリンク送信のための２つ以上の周波数リソースを備え、前記ＬＢＴプロシージャは、前記周波数リソースに対して実行される、
［Ｃ５０］に記載の装置。
［Ｃ５６］
前記修正するための手段は、
前記アップリンク送信のための利用可能なリソースを決定するための手段と、
前記利用可能なリソース中での前記複数のコードブロックの送信をサポートするためにコーディングレートを修正するための手段と
を備える、［Ｃ５０］に記載の装置。
［Ｃ５７］
前記修正するための手段は、
前記アップリンク送信のための利用可能なリソースを決定するための手段と、
前記利用可能なリソース中で送信されるべき前記複数のコードブロックの一部分を識別するための手段と
を備える、［Ｃ５０］に記載の装置。
［Ｃ５８］
前記修正するための手段は、
前記アップリンク送信のための利用可能なリソースを決定するための手段と、
前記利用可能なリソースに少なくとも部分的に基づいて前記トランスポートブロックグループサイズを修正するための手段と、
前記修正されたトランスポートブロックグループサイズに少なくとも部分的に基づいて前記コードブロックのうちの１つまたは複数をドロップするための手段と
を備える、［Ｃ５０］に記載の装置。
【図１】
0006567759.tif 000005
【図２】
0006567759.tif 000006
【図３】
0006567759.tif 000007
【図４Ａ】
0006567759.tif 000008
【図４Ｂ】
0006567759.tif 000009
【図５】
0006567759.tif 000010
【図６】
0006567759.tif 000011
【図７Ａ】
0006567759.tif 000012
【図７Ｂ】
0006567759.tif 000013
【図８】
0006567759.tif 000014
【図９】
0006567759.tif 000015
【図１０】
0006567759.tif 000016
【図１１】
0006567759.tif 000017
【図１２】
0006567759.tif 000018
【図１３】
0006567759.tif 000019
【図１４】
0006567759.tif 000020
【図１５】
0006567759.tif 000021
【図１６】
0006567759.tif 000022
【図１７】
0006567759.tif 000023
【図１８】
0006567759.tif 000024
【図１９】
0006567759.tif 000025
【図２０】
0006567759.tif 000026
【図２１】
0006567759.tif 000027
【図２２】
0006567759.tif 000028
【図２３】
0006567759.tif 000029